(57)【特許請求の範囲】
【請求項１】
カメラボディの天面に配置される表示部と、
外周の一部が前記カメラボディの外表面に露出して配置された複数個の回転式の操作ダイヤルと、
前記表示部の表示を制御する表示制御部と、
を備え、
前記表示制御部は、各前記操作ダイヤルのイメージ画像を前記表示部に表示し、前記操作ダイヤルが回転操作された場合は、回転操作された前記操作ダイヤルのイメージ画像を拡大する、
カメラ。
【請求項２】
カメラボディの天面に配置される表示部と、
外周の一部が前記カメラボディの外表面に露出して配置された複数個の回転式の操作ダイヤルと、
前記表示部の表示を制御する表示制御部と、
を備え、
前記表示制御部は、前記カメラボディから露出した各前記操作ダイヤルの一部を延長した円弧状の外形形状を有する画像を各前記操作ダイヤルのイメージ画像として前記表示部に表示し、前記操作ダイヤルが回転操作された場合は、回転操作された前記操作ダイヤルのイメージ画像の表示形態を変更する、
カメラ。
【請求項３】
カメラボディの天面に配置される表示部と、
外周の一部が前記カメラボディの外表面に露出して配置された複数個の回転式の操作ダイヤルと、
前記表示部の表示を制御する表示制御部と、
を備え、
前記表示制御部は、各前記操作ダイヤルのイメージ画像を前記表示部に表示し、前記操作ダイヤルが回転操作された場合は、回転操作された前記操作ダイヤルのイメージ画像の表示形態を変更し、
前記表示制御部は、更に前記表示部にカメラの設定内容を表示し、前記イメージ画像を拡大する場合、前記設定内容の表示を縮小して表示する、
カメラ。
【請求項４】
カメラボディの天面に配置される表示部と、
外周の一部が前記カメラボディの外表面に露出して配置された複数個の回転式の操作ダイヤルと、
前記表示部の表示を制御する表示制御部と、
を備え、
前記表示制御部は、各前記操作ダイヤルのイメージ画像を前記表示部に表示し、前記操作ダイヤルが回転操作された場合は、回転操作された前記操作ダイヤルのイメージ画像の表示形態を変更し、
前記表示制御部は、更に前記表示部にカメラの設定内容を表示し、前記イメージ画像を拡大する場合、前記設定内容を前記イメージ画像に重ならない位置にずらして表示する、
カメラ。
【請求項５】
カメラボディの天面に配置される表示部と、
外周の一部が前記カメラボディの外表面に露出して配置された複数個の回転式の操作ダイヤルと、
前記表示部の表示を制御する表示制御部と、
を備え、
前記表示制御部は、各前記操作ダイヤルのイメージ画像を前記表示部に表示し、前記操作ダイヤルが回転操作された場合は、回転操作された前記操作ダイヤルのイメージ画像の表示形態を変更し、
前記表示制御部は、更に前記表示部にカメラの設定内容を表示し、前記イメージ画像を拡大する場合、前記設定内容を前記イメージ画像に重ねて表示する、
カメラ。
【請求項６】
カメラボディの天面に配置される表示部と、
外周の一部が前記カメラボディの外表面に露出して配置された複数個の回転式の操作ダイヤルと、
前記表示部の表示を制御する表示制御部と、
を備え、
前記表示制御部は、各前記操作ダイヤルのイメージ画像を前記表示部に表示し、前記操作ダイヤルが回転操作された場合は、回転操作された前記操作ダイヤルのイメージ画像の表示形態を変更し、
前記表示制御部は、更に前記表示部にカメラの設定内容を表示し、前記イメージ画像を拡大する場合、前記設定内容の表示項目を変更する、
カメラ。
【請求項７】
前記表示制御部は、前記操作ダイヤルが回転操作された場合、回転操作された前記操作ダイヤルのイメージ画像を拡大する、 
請求項２から６のいずれか１項に記載のカメラ。
【請求項８】
前記表示制御部は、更に前記表示部にカメラの設定内容を表示する、
請求項１又は２に記載のカメラ。
【請求項９】
前記表示制御部は、前記操作ダイヤルが回転操作された場合、回転操作された前記操作ダイヤルのイメージ画像の明るさ又は色を変更する、
請求項１から８のいずれか１項に記載のカメラ。
【請求項１０】
前記表示制御部は、前記操作ダイヤルが回転操作された場合、回転操作された前記操作ダイヤルのイメージ画像を回転させる、
請求項１から９のいずれか１項に記載のカメラ。
【請求項１１】
前記表示制御部は、操作された回転量と同じ回転量で前記操作ダイヤルのイメージ画像を回転させる、
請求項１０に記載のカメラ。
【請求項１２】
前記表示制御部は、前記カメラボディに対する各前記操作ダイヤルのレイアウトに対応したレイアウトで各前記操作ダイヤルのイメージ画像を前記表示部に表示する、
請求項１から１１のいずれか１項に記載のカメラ。
【請求項１３】
前記表示制御部は、各前記操作ダイヤルのイメージ画像を各前記操作ダイヤルの近傍に表示する、
請求項１から１２のいずれか１項に記載のカメラ。
【請求項１４】
前記表示制御部は、前記操作ダイヤルが回転操作された場合、回転操作された前記操作ダイヤルの最も近くに表示された前記操作ダイヤルのイメージ画像の表示形態を変更する、
請求項１から１２のいずれか１項に記載のカメラ。
【請求項１５】
前記表示制御部は、各前記操作ダイヤルに割り当てられた機能に応じた各前記操作ダイヤルのイメージ画像を前記表示部に表示する、
請求項１から１４のいずれか１項に記載のカメラ。
【請求項１６】
各前記操作ダイヤルに割り当てる機能を設定する機能設定部を更に備えた、
請求項１から１５のいずれか１項に記載のカメラ。
【請求項１７】
カメラボディの天面に配置される表示部と、
外周の一部が前記カメラボディの外表面に露出して配置された複数個の回転式の操作ダイヤルと、
各前記操作ダイヤルへの接触を検出する接触検出部と、
前記表示部の表示を制御する表示制御部と、
を備え、
前記表示制御部は、各前記操作ダイヤルのイメージ画像を前記表示部に表示し、前記操作ダイヤルへの接触が検出された場合は、接触が検出された前記操作ダイヤルのイメージ画像を拡大する、
カメラ。
【請求項１８】
接触が検出された前記操作ダイヤルが回転操作された場合、前記表示制御部は、接触が検出された前記操作ダイヤルのイメージ画像の明るさ又は色を変更する、
請求項１７に記載のカメラ。
【請求項１９】
接触が検出された前記操作ダイヤルが回転操作された場合、前記表示制御部は、接触が検出された前記操作ダイヤルのイメージ画像を回転させる、
請求項１７又は１８に記載のカメラ。
【請求項２０】
前記表示制御部は、操作された回転量と同じ回転量で前記操作ダイヤルのイメージ画像を回転させる、
請求項１９に記載のカメラ。
【請求項２１】
前記表示制御部は、前記操作ダイヤルへの接触が検出された場合、接触が検出された前記操作ダイヤルのイメージ画像の明るさ又は色を変更する、
請求項１７から２０のいずれか１項に記載のカメラ。
【請求項２２】
カメラボディの天面に配置される表示部と、
外周の一部が前記カメラボディの外表面に露出して配置された複数個の回転式の操作ダイヤルと、
各前記操作ダイヤルへの接触を検出する接触検出部と、
前記表示部の表示を制御する表示制御部と、
を備え、
前記表示制御部は、各前記操作ダイヤルのイメージ画像を前記表示部に表示し、前記操作ダイヤルへの接触が検出された場合は、接触が検出された前記操作ダイヤルのイメージ画像の明るさ又は色を変更し、
接触が検出された前記操作ダイヤルが回転操作された場合、前記表示制御部は、接触が検出された前記操作ダイヤルのイメージ画像を拡大する、
カメラ。
【請求項２３】
接触が検出された前記操作ダイヤルが回転操作された場合、前記表示制御部は、接触が検出された前記操作ダイヤルのイメージ画像を回転させる、
請求項２１又は２２に記載のカメラ。
【請求項２４】
前記表示制御部は、操作された回転量と同じ回転量で前記操作ダイヤルのイメージ画像を回転させる、
請求項２３に記載のカメラ。
【請求項２５】
カメラボディの天面に配置される表示部と、
外周の一部が前記カメラボディの外表面に露出して配置された複数個の回転式の操作ダイヤルと、
各前記操作ダイヤルへの接触を検出する接触検出部と、
前記表示部の表示を制御する表示制御部と、
を備え、
前記表示制御部は、前記カメラボディから露出した各前記操作ダイヤルの一部を延長した円弧状の外形形状を有する画像を各前記操作ダイヤルのイメージ画像として前記表示部に表示し、前記操作ダイヤルへの接触が検出された場合は、接触が検出された前記操作ダイヤルのイメージ画像の表示形態を変更する、
カメラ。
【請求項２６】
カメラボディの天面に配置される表示部と、
外周の一部が前記カメラボディの外表面に露出して配置された複数個の回転式の操作ダイヤルと、
各前記操作ダイヤルへの接触を検出する接触検出部と、
前記表示部の表示を制御する表示制御部と、
を備え、
前記表示制御部は、各前記操作ダイヤルのイメージ画像を前記表示部に表示し、前記操作ダイヤルへの接触が検出された場合は、接触が検出された前記操作ダイヤルのイメージ画像の表示形態を変更し、
前記表示制御部は、更に前記表示部にカメラの設定内容を表示し、前記イメージ画像を拡大する場合、前記設定内容の表示を縮小して表示する、
カメラ。
【請求項２７】
カメラボディの天面に配置される表示部と、
外周の一部が前記カメラボディの外表面に露出して配置された複数個の回転式の操作ダイヤルと、
各前記操作ダイヤルへの接触を検出する接触検出部と、
前記表示部の表示を制御する表示制御部と、
を備え、
前記表示制御部は、各前記操作ダイヤルのイメージ画像を前記表示部に表示し、前記操作ダイヤルへの接触が検出された場合は、接触が検出された前記操作ダイヤルのイメージ画像の表示形態を変更し、
前記表示制御部は、更に前記表示部にカメラの設定内容を表示し、前記イメージ画像を拡大する場合、前記設定内容を前記イメージ画像に重ならない位置にずらして表示する、
カメラ。
【請求項２８】
カメラボディの天面に配置される表示部と、
外周の一部が前記カメラボディの外表面に露出して配置された複数個の回転式の操作ダイヤルと、
各前記操作ダイヤルへの接触を検出する接触検出部と、
前記表示部の表示を制御する表示制御部と、
を備え、
前記表示制御部は、各前記操作ダイヤルのイメージ画像を前記表示部に表示し、前記操作ダイヤルへの接触が検出された場合は、接触が検出された前記操作ダイヤルのイメージ画像の表示形態を変更し、
前記表示制御部は、更に前記表示部にカメラの設定内容を表示し、前記イメージ画像を拡大する場合、前記設定内容を前記イメージ画像に重ねて表示する、
カメラ。
【請求項２９】
カメラボディの天面に配置される表示部と、
外周の一部が前記カメラボディの外表面に露出して配置された複数個の回転式の操作ダイヤルと、
各前記操作ダイヤルへの接触を検出する接触検出部と、
前記表示部の表示を制御する表示制御部と、
を備え、
前記表示制御部は、各前記操作ダイヤルのイメージ画像を前記表示部に表示し、前記操作ダイヤルへの接触が検出された場合は、接触が検出された前記操作ダイヤルのイメージ画像の表示形態を変更し、
前記表示制御部は、更に前記表示部にカメラの設定内容を表示し、前記イメージ画像を拡大する場合、前記設定内容の表示項目を変更する、
カメラ。
【請求項３０】
前記表示制御部は、前記操作ダイヤルへの接触が検出された場合、接触が検出された前記操作ダイヤルのイメージ画像を拡大する、
請求項２２から２９のいずれか１項に記載のカメラ。
【請求項３１】
前記表示制御部は、更に前記表示部にカメラの設定内容を表示する、
請求項１７から２５のいずれか１項に記載のカメラ。
【請求項３２】
前記表示制御部は、前記カメラボディに対する各前記操作ダイヤルのレイアウトに対応したレイアウトで各前記操作ダイヤルのイメージ画像を前記表示部に表示する、
請求項１７から３１のいずれか１項に記載のカメラ。
【請求項３３】
前記表示制御部は、各前記操作ダイヤルのイメージ画像を各前記操作ダイヤルの近傍に表示する、
請求項１７から３２のいずれか１項に記載のカメラ。
【請求項３４】
前記表示制御部は、前記操作ダイヤルが回転操作された場合、回転操作された前記操作ダイヤルの最も近くに表示された前記操作ダイヤルのイメージ画像の表示形態を変更する、
請求項１７から３２のいずれか１項に記載のカメラ。
【請求項３５】
前記表示制御部は、各前記操作ダイヤルに割り当てられた機能に応じた各前記操作ダイヤルのイメージ画像を前記表示部に表示する、
請求項１７から３４のいずれか１項に記載のカメラ。
【請求項３６】
各前記操作ダイヤルに割り当てる機能を設定する機能設定部を更に備えた、
請求項１７から３５のいずれか１項に記載のカメラ。
【請求項３７】
カメラボディの天面に配置される表示部と、
外周の一部が前記カメラボディの外表面に露出して配置され、押込み操作が可能な複数個の回転式の操作ダイヤルと、
前記表示部の表示を制御する表示制御部と、
を備え、
前記表示制御部は、各前記操作ダイヤルのイメージ画像を前記表示部に表示し、前記操作ダイヤルが押込み操作された場合は、押込み操作された前記操作ダイヤルのイメージ画像を拡大する、
カメラ。
【請求項３８】
押込み操作された前記操作ダイヤルが回転操作された場合、前記表示制御部は、押込み操作された前記操作ダイヤルのイメージ画像の明るさ又は色を変更する、
請求項３７に記載のカメラ。
【請求項３９】
押込み操作された前記操作ダイヤルが回転操作された場合、前記表示制御部は、押込み操作された前記操作ダイヤルのイメージ画像を回転させる、
請求項３７又は３８に記載のカメラ。
【請求項４０】
前記表示制御部は、操作された回転量と同じ回転量で前記操作ダイヤルのイメージ画像を回転させる、
請求項３９に記載のカメラ。
【請求項４１】
前記表示制御部は、前記操作ダイヤルが押込み操作された場合、押込み操作された前記操作ダイヤルのイメージ画像の明るさ又は色を変更する、
請求項３７から４０のいずれか１項に記載のカメラ。
【請求項４２】
カメラボディの天面に配置される表示部と、
外周の一部が前記カメラボディの外表面に露出して配置され、押込み操作が可能な複数個の回転式の操作ダイヤルと、
前記表示部の表示を制御する表示制御部と、
を備え、
前記表示制御部は、各前記操作ダイヤルのイメージ画像を前記表示部に表示し、前記操作ダイヤルが押込み操作された場合は、押込み操作された前記操作ダイヤルのイメージ画像の明るさ又は色を変更し、
押込み操作された前記操作ダイヤルが回転操作された場合、前記表示制御部は、押込み操作された前記操作ダイヤルのイメージ画像を拡大する、
カメラ。
【請求項４３】
押込み操作された前記操作ダイヤルが回転操作された場合、前記表示制御部は、押込み操作された前記操作ダイヤルのイメージ画像を回転させる、
請求項４１又は４２に記載のカメラ。
【請求項４４】
前記表示制御部は、操作された回転量と同じ回転量で前記操作ダイヤルのイメージ画像を回転させる、
請求項４３に記載のカメラ。
【請求項４５】
カメラボディの天面に配置される表示部と、
外周の一部が前記カメラボディの外表面に露出して配置され、押込み操作が可能な複数個の回転式の操作ダイヤルと、
前記表示部の表示を制御する表示制御部と、
を備え、
前記表示制御部は、前記カメラボディから露出した各前記操作ダイヤルの一部を延長した円弧状の外形形状を有する画像を各前記操作ダイヤルのイメージ画像として前記表示部に表示し、前記操作ダイヤルが押込み操作された場合は、押込み操作された前記操作ダイヤルのイメージ画像の表示形態を変更する、
カメラ。
【請求項４６】
カメラボディの天面に配置される表示部と、
外周の一部が前記カメラボディの外表面に露出して配置され、押込み操作が可能な複数個の回転式の操作ダイヤルと、
前記表示部の表示を制御する表示制御部と、
を備え、
前記表示制御部は、各前記操作ダイヤルのイメージ画像を前記表示部に表示し、前記操作ダイヤルが押込み操作された場合は、押込み操作された前記操作ダイヤルのイメージ画像の表示形態を変更し、
前記表示制御部は、更に前記表示部にカメラの設定内容を表示し、前記イメージ画像を拡大する場合、前記設定内容の表示を縮小して表示する、
カメラ。
【請求項４７】
カメラボディの天面に配置される表示部と、
外周の一部が前記カメラボディの外表面に露出して配置され、押込み操作が可能な複数個の回転式の操作ダイヤルと、
前記表示部の表示を制御する表示制御部と、
を備え、
前記表示制御部は、各前記操作ダイヤルのイメージ画像を前記表示部に表示し、前記操作ダイヤルが押込み操作された場合は、押込み操作された前記操作ダイヤルのイメージ画像の表示形態を変更し、
前記表示制御部は、更に前記表示部にカメラの設定内容を表示し、前記イメージ画像を拡大する場合、前記設定内容を前記イメージ画像に重ならない位置にずらして表示する、
カメラ。
【請求項４８】
カメラボディの天面に配置される表示部と、
外周の一部が前記カメラボディの外表面に露出して配置され、押込み操作が可能な複数個の回転式の操作ダイヤルと、
前記表示部の表示を制御する表示制御部と、
を備え、
前記表示制御部は、各前記操作ダイヤルのイメージ画像を前記表示部に表示し、前記操作ダイヤルが押込み操作された場合は、押込み操作された前記操作ダイヤルのイメージ画像の表示形態を変更し、
前記表示制御部は、更に前記表示部にカメラの設定内容を表示し、前記イメージ画像を拡大する場合、前記設定内容を前記イメージ画像に重ねて表示する、
カメラ。
【請求項４９】
カメラボディの天面に配置される表示部と、
外周の一部が前記カメラボディの外表面に露出して配置され、押込み操作が可能な複数個の回転式の操作ダイヤルと、
前記表示部の表示を制御する表示制御部と、
を備え、
前記表示制御部は、各前記操作ダイヤルのイメージ画像を前記表示部に表示し、前記操作ダイヤルが押込み操作された場合は、押込み操作された前記操作ダイヤルのイメージ画像の表示形態を変更し、
前記表示制御部は、更に前記表示部にカメラの設定内容を表示し、前記イメージ画像を拡大する場合、前記設定内容の表示項目を変更する、
カメラ。
【請求項５０】
前記表示制御部は、前記操作ダイヤルが押込み操作された場合、押込み操作された前記操作ダイヤルのイメージ画像を拡大する、
請求項４２から４９のいずれか１項に記載のカメラ。
【請求項５１】
前記表示制御部は、更に前記表示部にカメラの設定内容を表示する、
請求項３７から４５のいずれか１項に記載のカメラ。
【請求項５２】
前記表示制御部は、前記カメラボディに対する各前記操作ダイヤルのレイアウトに対応したレイアウトで各前記操作ダイヤルのイメージ画像を前記表示部に表示する、
請求項３７から５１のいずれか１項に記載のカメラ。
【請求項５３】
前記表示制御部は、各前記操作ダイヤルのイメージ画像を各前記操作ダイヤルの近傍に表示する、
請求項３７から５２のいずれか１項に記載のカメラ。
【請求項５４】
前記表示制御部は、前記操作ダイヤルが回転操作された場合、回転操作された前記操作ダイヤルの最も近くに表示された前記操作ダイヤルのイメージ画像の表示形態を変更する、
請求項３７から５２のいずれか１項に記載のカメラ。
【請求項５５】
前記表示制御部は、各前記操作ダイヤルに割り当てられた機能に応じた各前記操作ダイヤルのイメージ画像を前記表示部に表示する、
請求項３７から５４のいずれか１項に記載のカメラ。
【請求項５６】
各前記操作ダイヤルに割り当てる機能を設定する機能設定部を更に備えた、
請求項３７から５５のいずれか１項に記載のカメラ。
【発明の詳細な説明】
【技術分野】
【０００１】
本発明は、カメラ、及び、その設定方法に係り、特に回転式の操作ダイヤルを使用して各種設定を行うカメラ、及び、その設定方法に関する。
【背景技術】
【０００２】
回転式の操作ダイヤルと表示装置とを組み合わせて、各種設定を行うカメラが知られている。たとえば、特許文献１には、表示装置の下方に操作ダイヤルを配置し、操作ダイヤルの回転操作に応じて、表示装置の表示を切り替えることにより、各種設定を行うカメラが提案されている。特許文献１のカメラでは、操作ダイヤルに割り当てる機能を切り替えることにより、１つの操作ダイヤルで複数の機能の設定ができるように構成されている。
【先行技術文献】
【特許文献】
【０００３】
【特許文献１】特開平8-76225号公報
【発明の概要】
【発明が解決しようとする課題】
【０００４】
しかしながら、１つの操作ダイヤルに複数の機能を割り当てると、操作が煩雑になるという問題がある。そして、これを解消するために、単純に操作ダイヤルの数を増やすと、カメラが大型化するという問題がある。【０００５】
本発明は、このような事情に鑑みてなされたもので、コンパクトな構成で高い操作性を有するカメラ、及び、その設定方法を提供することを目的とする。
【課題を解決するための手段】
【０００６】
上記課題を解決するための手段は、次のとおりである。【０００７】
（１）カメラボディの天面に配置される表示部と、外周の一部がカメラボディの外表面に露出して配置された複数個の回転式の操作ダイヤルと、表示部の表示を制御する表示制御部と、を備え、表示制御部は、各操作ダイヤルのイメージ画像を表示部に表示し、操作ダイヤルが回転操作された場合は、回転操作された操作ダイヤルのイメージ画像の表示形態を変更する、カメラ。【０００８】
本態様によれば、カメラボディに回転式の操作ダイヤルが複数個備えられる。各操作ダイヤルは、外周の一部がカメラボディの外表面に露出して配置される。各操作ダイヤルは、露出した部分を利用して回転操作される。これにより、場所をとらずに複数の操作ダイヤルを設置できる。また、本態様によれば、カメラボディの天面に表示部が備えられる。表示部には、各操作ダイヤルのイメージ画像が表示される。操作ダイヤルのイメージ画像とは、回転式の操作ダイヤルを表わす画像である。更に、本態様によれば、操作ダイヤルを回転操作すると、操作された操作ダイヤルのイメージ画像の表示形態が変更される。これにより、操作している操作ダイヤルを瞬時に把握できる。【０００９】
（２）表示制御部は、操作ダイヤルが回転操作された場合、回転操作された操作ダイヤルのイメージ画像を拡大する、上記（１）のカメラ。【００１０】
本態様によれば、操作ダイヤルを回転操作すると、操作された操作ダイヤルのイメージ画像が拡大する。これにより、操作している操作ダイヤルを瞬時に把握できる。また、拡大して表示されることにより、良好な視認性を確保できる。更に、実際の操作ダイヤルについては、小型のものを使用できるので、場所をとらずに複数の操作ダイヤルを設置できる。【００１１】
（3）表示制御部は、操作ダイヤルが回転操作された場合、回転操作された操作ダイヤルのイメージ画像の明るさ又は色を変更する、上記（１）又は（２）のカメラ。【００１２】
本態様によれば、操作ダイヤルを回転操作すると、操作された操作ダイヤルのイメージ画像の明るさ又は色が変更する。これにより、操作している操作ダイヤルを瞬時に把握できる。【００１３】
（４）表示制御部は、操作ダイヤルが回転操作された場合、回転操作された操作ダイヤルのイメージ画像を回転させる、上記（１）から（３）のいずれか一のカメラ。【００１４】
本態様によれば、操作ダイヤルを回転操作すると、操作された操作ダイヤルのイメージ画像が回転する。これにより、操作している操作ダイヤルを瞬時に把握できる。【００１５】
（５）表示制御部は、操作された回転量と同じ回転量で操作ダイヤルのイメージ画像を回転させる、上記（４）のカメラ。【００１６】
本態様によれば、実際に操作された回転量と同じ回転量で操作ダイヤルのイメージ画像が回転する。これにより、良好な操作感を提供できる。【００１７】
（６）表示制御部は、カメラボディに対する各操作ダイヤルのレイアウトに対応したレイアウトで各操作ダイヤルのイメージ画像を表示部に表示する、上記（１）から（５）のいずれか一のカメラ。【００１８】
本態様によれば、カメラボディに対する各操作ダイヤルのレイアウトに対応したレイアウトで各操作ダイヤルのイメージ画像が表示部に表示される。これにより、各操作ダイヤルと表示部に表示されるイメージ画像との関係を直感的に把握でき、より良好な操作性を提供できる。【００１９】
（７）表示制御部は、各操作ダイヤルのイメージ画像を各操作ダイヤルの近傍に表示する、上記（１）から（６）のいずれか一のカメラ。【００２０】
本態様によれば、各操作ダイヤルのイメージ画像が、各操作ダイヤルの近傍に表示される。これにより、各操作ダイヤルと表示部に表示されるイメージ画像との関係を直感的に把握でき、より良好な操作性を提供できる。【００２１】
（８）表示制御部は、操作ダイヤルが回転操作された場合、回転操作された操作ダイヤルの最も近くに表示されたイメージ画像の表示形態を変更する、上記（１）から（６）のいずれか一のカメラ。【００２２】
本態様によれば、操作ダイヤルを操作すると、操作した操作ダイヤルの最も近くに表示されたイメージ画像の表示形態が変更される。これにより、各操作ダイヤルと表示部に表示されるイメージ画像との関係を直感的に把握でき、より良好な操作性を提供できる。【００２３】
（９）表示制御部は、カメラボディから露出した操作ダイヤルの一部を延長した円弧状の外形形状を有する画像を操作ダイヤルのイメージ画像として表示部に表示する、上記（１）から（８）のいずれか一のカメラ。【００２４】
本態様によれば、各操作ダイヤルのイメージ画像が、実際の操作ダイヤルの隠れた部分を補完する画像で構成される。すなわち、カメラボディから露出した操作ダイヤルの一部を延長した円弧状の外形形状を有する画像によって、操作ダイヤルのイメージ画像が構成される。これにより、各操作ダイヤルと表示部に表示されるイメージ画像との関連性をより明確にでき、より良好な操作性を提供できる。【００２５】
（１０）表示制御部は、各操作ダイヤルに割り当てられた機能に応じた各操作ダイヤルのイメージ画像を表示部に表示する、上記（１）から（９）のいずれか一のカメラ。【００２６】
本態様によれば、操作ダイヤルのイメージ画像が、操作ダイヤルに割り当てられた機能に対応した画像で構成される。操作ダイヤルに割り当てられる機能とは、その操作ダイヤルを用いて設定又は指示する内容のことである。この画像は、たとえば、実際の操作ダイヤルを平面視した画像で構成される。たとえば、操作ダイヤルでシャッタースピードを設定する場合は、シャッタースピードを設定する機能が割り当てられ、感度を設定する場合は、感度を設定する機能が割り当てられる。また、操作ダイヤルでズームする場合は、ズームを指示する機能が割り当てられ、コマ送りする場合は、コマ送りを指示する機能が割り当てられる。操作ダイヤルにシャッタースピードを設定する機能が割り当てられた場合、その操作ダイヤルのイメージ画像には、たとえば、シャッタースピードダイヤルを平面視した画像が用いられる。また、操作ダイヤルに感度を設定する機能が割り当てられた場合、その操作ダイヤルのイメージ画像には、たとえば、感度ダイヤルを平面視した画像が用いられる。これにより、各操作ダイヤルに割り当てられた機能を視覚的に把握できる。また、割り当てられた機能に応じたイメージ画像が表示されることにより、直感的な操作が可能になる。【００２７】
（１１）各操作ダイヤルに割り当てる機能を設定する機能設定部を更に備えた、上記（１）から（１０）のいずれか一のカメラ。【００２８】
本態様によれば、操作ダイヤルに割り当てる機能を設定できる。【００２９】
（１２）表示制御部は、更に表示部にカメラの設定内容を表示する、上記（１）から（１１）のいずれか一のカメラ。【００３０】
本態様によれば、各操作ダイヤルのイメージ画像に加えてカメラの設定内容が表示部に表示される。これにより、表示部の表示からカメラの設定内容を把握でき、より良好な操作性を確保できる。設定内容には、シャッタースピード、絞り値、感度又は撮影モードの少なくとも１つが含まれる。【００３１】
（１３）表示制御部は、イメージ画像を拡大する場合、設定内容の表示を縮小して表示する、上記（１２）のカメラ。【００３２】
本態様によれば、操作ダイヤルのイメージ画像が拡大されると、イメージ画像に重ならないように、カメラの設定内容が縮小して表示される。これにより、表示部のサイズが小さい場合であっても、可能な限り操作された操作ダイヤルのイメージ画像を大きく表示でき、良好な視認性を確保できる。また、操作ダイヤルを操作しながらカメラの設定内容も確認できる。【００３３】
（１４）表示制御部は、イメージ画像を拡大する場合、設定内容をイメージ画像に重ならない位置にずらして表示する、上記（１２）又は（１３）のカメラ。【００３４】
本態様によれば、操作ダイヤルのイメージ画像が拡大されると、イメージ画像に重ならないように、カメラの設定内容の表示位置がずらされる。これにより、表示部のサイズが小さい場合であっても、可能な限り操作された操作ダイヤルのイメージ画像を大きく表示でき、良好な視認性を確保できる。また、操作ダイヤルを操作しながらカメラの設定内容も確認できる。【００３５】
（１５）表示制御部は、イメージ画像を拡大する場合、設定内容をイメージ画像に重ねて表示する、上記（１２）のカメラ。【００３６】
本態様によれば、イメージ画像が拡大されると、カメラの設定内容がイメージ画像に重ねて表示される。これにより、操作ダイヤルを操作しながらカメラの設定内容も確認できる。この場合、カメラの設定内容を半透明化してもよい。【００３７】
（１６）表示制御部は、イメージ画像を拡大する場合、設定内容の表示項目を変更する、上記（１２）から（１５）のいずれか一のカメラ。【００３８】
本態様によれば、イメージ画像が拡大されると、カメラの設定内容の表示項目が変更される。たとえば、表示する項目の数が減らされて、特定の項目の情報のみが表示される。あるいは、操作ダイヤルで設定する項目の表示が削除される。【００３９】
（１７）カメラボディの天面に配置される表示部と、外周の一部がカメラボディの外表面に露出して配置された複数個の回転式の操作ダイヤルと、各操作ダイヤルへの接触を検出する接触検出部と、表示部の表示を制御する表示制御部と、を備え、表示制御部は、各操作ダイヤルのイメージ画像を表示部に表示し、操作ダイヤルへの接触が検出された場合は、接触が検出された操作ダイヤルのイメージ画像の表示形態を変更する、カメラ。【００４０】
本態様によれば、カメラボディに回転式の操作ダイヤルが複数個備えられる。各操作ダイヤルは、外周の一部がカメラボディの外表面に露出して配置される。各操作ダイヤルは、露出した部分を利用して回転操作される。これにより、場所をとらずに複数の操作ダイヤルを設置できる。また、本態様によれば、カメラボディの天面に表示部が備えられる。表示部には、各操作ダイヤルのイメージ画像が表示される。更に、本態様によれば、操作ダイヤルに指が触れると、指が触れた操作ダイヤルのイメージ画像の表示形態が変更される。これにより、操作しようとしている操作ダイヤルと、表示部に表示されているイメージ画像との関係を瞬時に把握でき、良好な操作性を提供できる。【００４１】
（１８）表示制御部は、操作ダイヤルへの接触が検出された場合、接触が検出された操作ダイヤルのイメージ画像を拡大する、上記（１７）のカメラ。【００４２】
本態様によれば、操作ダイヤルに指が触れると、指が触れた操作ダイヤルのイメージ画像が拡大される。これにより、操作しようとしている操作ダイヤルを瞬時に把握できる。また、拡大して表示されることにより、良好な視認性を確保できる。更に、実際の操作ダイヤルについては、小型のものを使用できるので、場所をとらずに複数の操作ダイヤルを設置できる。【００４３】
（１９）接触が検出された操作ダイヤルが回転操作された場合、表示制御部は、接触が検出された操作ダイヤルのイメージ画像の明るさ又は色を変更する、上記（１８）のカメラ。【００４４】
本態様によれば、指が触れられた操作ダイヤルが回転操作されると、その操作ダイヤルのイメージ画像の明るさ又は色が変化する。これにより、操作している操作ダイヤルを瞬時に把握できる。【００４５】
（２０）接触が検出された操作ダイヤルが回転操作された場合、表示制御部は、接触が検出された操作ダイヤルのイメージ画像を回転させる、上記（１８）又は（１９）のカメラ。【００４６】
本態様によれば、指が触れられた操作ダイヤルが回転操作されると、その操作ダイヤルのイメージ画像が回転する。これにより、操作している操作ダイヤルを瞬時に把握できる。【００４７】
（２１）表示制御部は、操作された回転量と同じ回転量で操作ダイヤルのイメージ画像を回転させる、上記（２０）のカメラ。【００４８】
本態様によれば、実際に操作された回転量と同じ回転量で操作ダイヤルのイメージ画像が回転する。これにより、良好な操作感を提供できる。【００４９】
（２２）表示制御部は、操作ダイヤルへの接触が検出された場合、接触が検出された操作ダイヤルのイメージ画像の明るさ又は色を変更する、上記（１７）のカメラ。【００５０】
本態様によれば、操作ダイヤルに指が触れると、指が触れた操作ダイヤルのイメージ画像の明るさ又は色が変化する。これにより、操作しようとしている操作ダイヤルを瞬時に把握できる。【００５１】
（２３）接触が検出された操作ダイヤルが回転操作された場合、表示制御部は、接触が検出された操作ダイヤルのイメージ画像を拡大する、上記（２２）のカメラ。【００５２】
本態様によれば、指が触れられた操作ダイヤルが回転操作されると、その操作ダイヤルのイメージ画像が拡大する。これにより、操作している操作ダイヤルを瞬時に把握できる。また、拡大して表示されることにより、良好な視認性を確保できる。更に、実際の操作ダイヤルについては、小型のものを使用できるので、場所をとらずに複数の操作ダイヤルを設置できる。【００５３】
（２４）接触が検出された操作ダイヤルが回転操作された場合、表示制御部は、接触が検出された操作ダイヤルのイメージ画像を回転させる、上記（２２）又は（２３）のカメラ。【００５４】
本態様によれば、指が触れられた操作ダイヤルが回転操作されると、その操作ダイヤルのイメージ画像が回転する。これにより、操作している操作ダイヤルを瞬時に把握できる。【００５５】
（２５）表示制御部は、操作された回転量と同じ回転量で操作ダイヤルのイメージ画像を回転させる、上記（２４）のカメラ。【００５６】
本態様によれば、実際に操作された回転量と同じ回転量で操作ダイヤルのイメージ画像が回転する。これにより、良好な操作感を提供できる。【００５７】
（２６）表示制御部は、カメラボディに対する各操作ダイヤルのレイアウトに対応したレイアウトで各操作ダイヤルのイメージ画像を表示部に表示する、上記（１７）から（２５）のいずれか一のカメラ。【００５８】
本態様によれば、カメラボディに対する各操作ダイヤルのレイアウトに対応したレイアウトで各操作ダイヤルのイメージ画像が表示部に表示される。これにより、各操作ダイヤルと表示部に表示されるイメージ画像との関係を直感的に把握でき、より良好な操作性を提供できる。【００５９】
（２７）表示制御部は、各操作ダイヤルのイメージ画像を各操作ダイヤルの近傍に表示する、上記（１７）から（２６）のいずれか一のカメラ。【００６０】
本態様によれば、各操作ダイヤルのイメージ画像が、各操作ダイヤルの近傍に表示される。これにより、各操作ダイヤルと表示部に表示されるイメージ画像との関係を直感的に把握でき、より良好な操作性を提供できる。【００６１】
（２８）表示制御部は、操作ダイヤルが回転操作された場合、回転操作された操作ダイヤルの最も近くに表示されたイメージ画像の表示形態を変更する、上記（１７）から（２６）のいずれか一のカメラ。【００６２】
本態様によれば、操作ダイヤルを操作すると、操作した操作ダイヤルの最も近くに表示されたイメージ画像の表示形態が変更される。これにより、各操作ダイヤルと表示部に表示されるイメージ画像との関係を直感的に把握でき、より良好な操作性を提供できる。【００６３】
（２９）表示制御部は、カメラボディから露出した操作ダイヤルの一部を延長した円弧状の外形形状を有する画像を操作ダイヤルのイメージ画像として表示部に表示する、上記（１７）から（２８）のいずれか一のカメラ。【００６４】
本態様によれば、各操作ダイヤルのイメージ画像が、実際の操作ダイヤルの隠れた部分を補完する画像で構成される。これにより、各操作ダイヤルと表示部に表示されるイメージ画像との関連性をより明確にでき、より良好な操作性を提供できる。【００６５】
（３０）表示制御部は、各操作ダイヤルに割り当てられた機能に応じた各操作ダイヤルのイメージ画像を表示部に表示する、上記（１７）から（２９）のいずれか一のカメラ。【００６６】
本態様によれば、操作ダイヤルのイメージ画像が、操作ダイヤルに割り当てられた機能に対応した画像で構成される。これにより、各操作ダイヤルに割り当てられた機能を視覚的に把握できる。また、割り当てられた機能に応じたイメージ画像が表示されることにより、直感的な操作が可能になる。【００６７】
（３１）各操作ダイヤルに割り当てる機能を設定する機能設定部を更に備えた、上記（１７）から（３０）のいずれか一のカメラ。【００６８】
本態様によれば、操作ダイヤルに割り当てる機能を設定できる。【００６９】
（３２）表示制御部は、更に表示部にカメラの設定内容を表示する、上記（１７）から（３１）のいずれか一のカメラ。【００７０】
本態様によれば、各操作ダイヤルのイメージ画像に加えてカメラの設定内容が表示部に表示される。こにより、表示部の表示からカメラの設定内容を把握でき、より良好な操作性を確保できる。設定内容には、シャッタースピード、絞り値、感度、撮影モードの少なくとも１つが含まれる。【００７１】
（３３）表示制御部は、イメージ画像を拡大する場合、設定内容の表示を縮小して表示する、上記（３２）のカメラ。【００７２】
本態様によれば、操作ダイヤルのイメージ画像が拡大されると、イメージ画像に重ならないように、カメラの設定内容が縮小して表示される。これにより、表示部のサイズが小さい場合であっても、可能な限り操作された操作ダイヤルのイメージ画像を大きく表示でき、良好な視認性を確保できる。また、操作ダイヤルを操作しながらカメラの設定内容も確認できる。【００７３】
（３４）表示制御部は、イメージ画像を拡大する場合、設定内容をイメージ画像に重ならない位置にずらして表示する、上記（３２）又は（３３）のカメラ。【００７４】
本態様によれば、操作ダイヤルのイメージ画像が拡大されると、イメージ画像に重ならないように、カメラの設定内容の表示位置がずらされる。これにより、表示部のサイズが小さい場合であっても、可能な限り操作された操作ダイヤルのイメージ画像を大きく表示でき、良好な視認性を確保できる。また、操作ダイヤルを操作しながらカメラの設定内容も確認できる。【００７５】
（３５）表示制御部は、イメージ画像を拡大する場合、イメージ画像に重ねて表示する、上記（３２）のカメラ。【００７６】
本態様によれば、イメージ画像が拡大されると、カメラの設定内容がイメージ画像に重ねて表示される。これにより、操作ダイヤルを操作しながらカメラの設定内容も確認できる。【００７７】
（３６）表示制御部は、イメージ画像を拡大する場合、設定内容の表示項目を変更する、上記（３２）から（３５）のいずれか一のカメラ。【００７８】
本態様によれば、イメージ画像が拡大されると、カメラの設定内容の表示項目が変更される。【００７９】
（３７）カメラボディの天面に配置される表示部と、外周の一部がカメラボディの外表面に露出して配置され、押込み操作が可能な複数個の回転式の操作ダイヤルと、表示部の表示を制御する表示制御部と、を備え、表示制御部は、各操作ダイヤルのイメージ画像を表示部に表示し、操作ダイヤルが押込み操作された場合は、押込み操作された操作ダイヤルのイメージ画像の表示形態を変更する、カメラ。【００８０】
本態様によれば、カメラボディに押込み操作が可能な回転式の操作ダイヤルが複数個備えられる。各操作ダイヤルは、外周の一部がカメラボディの外表面に露出して配置される。各操作ダイヤルは、露出した部分を利用して回転操作される。これにより、場所をとらずに複数の操作ダイヤルを設置できる。また、本態様によれば、カメラボディの天面に表示部が備えられる。表示部には、各操作ダイヤルのイメージ画像が表示される。更に、本態様によれば、操作ダイヤルが押込み操作されると、押込み操作された操作ダイヤルのイメージ画像の表示形態が変更される。これにより、操作しようとしている操作ダイヤルと、表示部に表示されているイメージ画像との関係を瞬時に把握でき、良好な操作性を提供できる。ここで、押込み操作とは、操作ダイヤルをカメラボディ内に向けて押し込む操作である。この操作は、操作ダイヤルを回転軸と直交する方向に押圧する操作である。【００８１】
（３８）表示制御部は、操作ダイヤルが押込み操作された場合、押込み操作された操作ダイヤルのイメージ画像を拡大する、上記（３７）のカメラ。【００８２】
本態様によれば、操作ダイヤルが押込み操作されると、押込み操作された操作ダイヤルのイメージ画像が拡大する。これにより、操作しようとしている操作ダイヤルを瞬時に把握できる。また、拡大して表示されることにより、良好な視認性を確保できる。更に、実際の操作ダイヤルについては、小型のものを使用できるので、場所をとらずに複数の操作ダイヤルを設置できる。【００８３】
（３９）押込み操作された操作ダイヤルが回転操作された場合、表示制御部は、押込み操作された操作ダイヤルのイメージ画像の明るさ又は色を変更する、上記（３８）のカメラ。【００８４】
本態様によれば、押込み操作された操作ダイヤルが回転操作されると、その操作ダイヤルのイメージ画像の明るさ又は色が変化する。これにより、操作している操作ダイヤルを瞬時に把握できる。【００８５】
（４０）押込み操作された操作ダイヤルが回転操作された場合、表示制御部は、押込み操作された操作ダイヤルのイメージ画像を回転させる、上記（３８）又は（３９）のカメラ。【００８６】
本態様によれば、押込み操作された操作ダイヤルが回転操作されると、その操作ダイヤルのイメージ画像が回転する。これにより、操作している操作ダイヤルを瞬時に把握できる。【００８７】
（４１）表示制御部は、操作された回転量と同じ回転量で操作ダイヤルのイメージ画像を回転させる、上記（４０）のカメラ。【００８８】
本態様によれば、実際に操作された回転量と同じ回転量で操作ダイヤルのイメージ画像が回転する。これにより、良好な操作感を提供できる。【００８９】
（４２）表示制御部は、操作ダイヤルが押込み操作された場合、押込み操作された操作ダイヤルのイメージ画像の明るさ又は色を変更する、上記（３７）のカメラ。【００９０】
本態様によれば、操作ダイヤルが押込み操作されると、押込み操作された操作ダイヤルのイメージ画像の明るさ又は色が変化する。これにより、操作しようとしている操作ダイヤルを瞬時に把握できる。【００９１】
（４３）押込み操作された操作ダイヤルが回転操作された場合、表示制御部は、押込み操作された操作ダイヤルのイメージ画像を拡大する、上記（４２）のカメラ。【００９２】
本態様によれば、押込み操作された操作ダイヤルが回転操作されると、その操作ダイヤルのイメージ画像が拡大する。これにより、操作している操作ダイヤルを瞬時に把握できる。また、拡大して表示されることにより、良好な視認性を確保できる。更に、実際の操作ダイヤルについては、小型のものを使用できるので、場所をとらずに複数の操作ダイヤルを設置できる。【００９３】
（４４）押込み操作された操作ダイヤルが回転操作された場合、表示制御部は、押込み操作された操作ダイヤルのイメージ画像を回転させる、上記（４２）又は（４３）のカメラ。【００９４】
本態様によれば、押込み操作された操作ダイヤルが回転操作されると、その操作ダイヤルのイメージ画像が回転する。これにより、操作している操作ダイヤルを瞬時に把握できる。【００９５】
（４５）表示制御部は、操作された回転量と同じ回転量で操作ダイヤルのイメージ画像を回転させる、上記（４４）のカメラ。【００９６】
本態様によれば、実際に操作された回転量と同じ回転量で操作ダイヤルのイメージ画像が回転する。これにより、良好な操作感を提供できる。【００９７】
（４６）表示制御部は、カメラボディに対する各操作ダイヤルのレイアウトに対応したレイアウトで各操作ダイヤルのイメージ画像を表示部に表示する、上記（３７）から（４５）のいずれか一のカメラ。【００９８】
本態様によれば、カメラボディに対する各操作ダイヤルのレイアウトに対応したレイアウトで各操作ダイヤルのイメージ画像が表示部に表示される。これにより、各操作ダイヤルと表示部に表示されるイメージ画像との関係を直感的に把握でき、より良好な操作性を提供できる。【００９９】
（４７）表示制御部は、各操作ダイヤルのイメージ画像を各操作ダイヤルの近傍に表示する、上記（３７）から（４６）のいずれか一のカメラ。【０１００】
本態様によれば、各操作ダイヤルのイメージ画像が、各操作ダイヤルの近傍に表示される。これにより、各操作ダイヤルと表示部に表示されるイメージ画像との関係を直感的に把握でき、より良好な操作性を提供できる。【０１０１】
（４８）表示制御部は、操作ダイヤルが回転操作された場合、回転操作された操作ダイヤルの最も近くに表示されたイメージ画像の表示形態を変更する、上記（３７）から（４６）のいずれか一のカメラ。【０１０２】
本態様によれば、操作ダイヤルを操作すると、操作した操作ダイヤルの最も近くに表示されたイメージ画像の表示形態が変更される。これにより、各操作ダイヤルと表示部に表示されるイメージ画像との関係を直感的に把握でき、より良好な操作性を提供できる。【０１０３】
（４９）表示制御部は、カメラボディから露出した操作ダイヤルの一部を延長した円弧状の外形形状を有する画像を操作ダイヤルのイメージ画像として表示部に表示する、上記（３７）から（４８）のいずれか一のカメラ。【０１０４】
本態様によれば、各操作ダイヤルのイメージ画像が、実際の操作ダイヤルの隠れた部分を補完する画像で構成される。これにより、各操作ダイヤルと表示部に表示されるイメージ画像との関連性をより明確にでき、より良好な操作性を提供できる。【０１０５】
（５０）表示制御部は、各操作ダイヤルに割り当てられた機能に応じた各操作ダイヤルのイメージ画像を表示部に表示する、上記（３７）から（４９）のいずれか一のカメラ。【０１０６】
本態様によれば、操作ダイヤルのイメージ画像が、操作ダイヤルに割り当てられた機能に対応した画像で構成される。これにより、各操作ダイヤルに割り当てられた機能を視覚的に把握できる。また、割り当てられた機能に応じたイメージ画像が表示されることにより、直感的な操作が可能になる。【０１０７】
（５１）各操作ダイヤルに割り当てる機能を設定する機能設定部を更に備えた、上記（３７）から（５０）のいずれか一のカメラ。【０１０８】
本態様によれば、操作ダイヤルに割り当てる機能を設定できる。【０１０９】
（５２）表示制御部は、更に表示部にカメラの設定内容を表示する、上記（３７）から（５１）のいずれか一のカメラ。【０１１０】
本態様によれば、各操作ダイヤルのイメージ画像に加えてカメラの設定内容が表示部に表示される。こにより、表示部の表示からカメラの設定内容を把握でき、より良好な操作性を確保できる。設定内容には、シャッタースピード、絞り値、感度、撮影モードの少なくとも１つが含まれる。【０１１１】
（５３）表示制御部は、イメージ画像を拡大する場合、設定内容の表示を縮小して表示する、上記（５２）のカメラ。【０１１２】
本態様によれば、操作ダイヤルのイメージ画像が拡大されると、イメージ画像に重ならないように、カメラの設定内容が縮小して表示される。これにより、表示部のサイズが小さい場合であっても、可能な限り操作された操作ダイヤルのイメージ画像を大きく表示でき、良好な視認性を確保できる。また、操作ダイヤルを操作しながらカメラの設定内容も確認できる。【０１１３】
（５４）表示制御部は、イメージ画像を拡大する場合、設定内容をイメージ画像に重ならない位置にずらして表示する、上記（５２）又は（５３）のカメラ。【０１１４】
本態様によれば、操作ダイヤルのイメージ画像が拡大されると、イメージ画像に重ならないように、カメラの設定内容の表示位置がずらされる。これにより、表示部のサイズが小さい場合であっても、可能な限り操作された操作ダイヤルのイメージ画像を大きく表示でき、良好な視認性を確保できる。また、操作ダイヤルを操作しながらカメラの設定内容も確認できる。【０１１５】
（５５）表示制御部は、イメージ画像を拡大する場合、イメージ画像に重ねて表示する、上記（５２）のカメラ。【０１１６】
本態様によれば、イメージ画像が拡大されると、カメラの設定内容がイメージ画像に重ねて表示される。これにより、操作ダイヤルを操作しながらカメラの設定内容も確認できる。【０１１７】
（５６）表示制御部は、イメージ画像を拡大する場合、設定内容の表示項目を変更する、上記（５２）から（５５）のいずれか一のカメラ。【０１１８】
本態様によれば、イメージ画像が拡大されると、カメラの設定内容の表示項目が変更される。【０１１９】
（５７）外周の一部がカメラボディの外表面に露出して配置された回転式の操作ダイヤルを複数個備え、操作ダイヤルを使用して各種設定を行うカメラにおいて、各操作ダイヤルのイメージ画像をカメラボディの天面に配置された表示部に表示し、操作ダイヤルが回転操作された場合は、回転操作された操作ダイヤルのイメージ画像の表示形態を変更する、カメラの設定方法。【０１２０】
本態様によれば、各操作ダイヤルのイメージ画像が、カメラボディの天面に備えられた表示部に表示される。操作ダイヤルが操作されると、操作された操作ダイヤルのイメージ画像の表示形態が変更する。これにより、操作している操作ダイヤルを瞬時に把握できる。【０１２１】
（５８）外周の一部がカメラボディの外表面に露出して配置された回転式の操作ダイヤルを複数個備え、操作ダイヤルを使用して各種設定を行うカメラにおいて、各操作ダイヤルのイメージ画像をカメラボディの天面に配置された表示部に表示し、各操作ダイヤルへの接触を検出し、操作ダイヤルへの接触が検出された場合は、接触が検出された操作ダイヤルのイメージ画像の表示形態を変更する、カメラの設定方法。【０１２２】
本態様によれば、各操作ダイヤルのイメージ画像が、カメラボディの天面に備えられた表示部に表示される。操作ダイヤルに指が触れると、指が触れた操作ダイヤルのイメージ画像の表示形態が変更する。これにより、操作しようとしている操作ダイヤルを瞬時に把握できる。【０１２３】
（５９）外周の一部がカメラボディの外表面に露出して配置され、押込み操作が可能な回転式の操作ダイヤルを複数個備え、操作ダイヤルを使用して各種設定を行うカメラにおいて、各操作ダイヤルのイメージ画像をカメラボディの天面に配置された表示部に表示し、操作ダイヤルが押込み操作された場合は、押込み操作された操作ダイヤルのイメージ画像の表示形態を変更する、カメラの設定方法。【０１２４】
本態様によれば、各操作ダイヤルのイメージ画像が、カメラボディの天面に備えられた表示部に表示される。操作ダイヤルが押込み操作されると、押込み操作された操作ダイヤルのイメージ画像の表示形態が変更する。これにより、操作しようとしているダイヤルを瞬時に把握できる。
【発明の効果】
【０１２５】
本発明によれば、コンパクトな構成で高い操作性を有するカメラを提供できる。
【図面の簡単な説明】
【０１２６】
【図１】本発明が適用されたデジタルカメラの一例を示す正面図
【図２】本発明が適用されたデジタルカメラの一例を示す背面図
【図３】本発明が適用されたデジタルカメラの一例を示す平面図
【図４】レンズを装着したデジタルカメラの平面図
【図５】デジタルカメラの制御系の概略構成を示すブロック図
【図６】第１リアコマンドダイヤル及び第２リアコマンドダイヤルを使用した操作系の機能ブロック図
【図７】デジタルカメラの設定状態に応じて第１リアコマンドダイヤル及び第２リアコマンドダイヤルに割り当てられる機能の一覧表
【図８】サブディスプレーの表示の一例を示す平面図
【図９】露出補正値を設定する機能が割り当てられた場合の操作ダイヤルのイメージ画像の一例を示す図
【図１０】シャッタースピードを設定する機能が割り当てられた場合の操作ダイヤルのイメージ画像の一例を示す図
【図１１】感度を設定する機能が割り当てられた場合の操作ダイヤルのイメージ画像の一例を示す図
【図１２】絞り値を設定する機能が割り当てられた場合の操作ダイヤルのイメージ画像の一例を示す図
【図１３】撮影モードを設定する機能が割り当てられた場合の操作ダイヤルのイメージ画像の一例を示す図
【図１４】プログラムシフトの機能が割り当てられた場合の操作ダイヤルのイメージ画像の一例を示す図
【図１５】コマ送りの機能が割り当てられた場合の操作ダイヤルのイメージ画像の一例を示す図
【図１６】再生ズームの機能が割り当てられた場合の操作ダイヤルのイメージ画像の一例を示す図
【図１７】絞り優先に設定された場合のサブディスプレーの表示の一例を示す平面図
【図１８】マニュアルに設定された場合のサブディスプレーの表示の一例を示す平面図
【図１９】プログラムに設定された場合のサブディスプレーの表示の一例を示す平面図
【図２０】シャッタースピード優先に設定された状態において、第１リアコマンドダイヤル及び第２リアコマンドダイヤルが押込み操作された場合のサブディスプレーの表示の一例を示す平面図
【図２１】再生モードに設定された場合のサブディスプレーの表示の一例を示す平面図
【図２２】第２リアコマンドダイヤルを回転操作した場合のサブディスプレーの表示の一例を示す平面図
【図２３】第１リアコマンドダイヤル及び第２リアコマンドダイヤルが操作された場合のイメージ画像の表示制御の処理手順を示すフローチャート
【図２４】イメージ画像を拡大させる場合のサブディスプレーの表示の変形例を示す平面図
【図２５】イメージ画像を拡大させる場合のサブディスプレーの表示の変形例を示す平面図
【図２６】イメージ画像を拡大させる場合のサブディスプレーの表示の変形例を示す平面図
【図２７】操作されていない方のダイヤルのイメージ画像を退避させる場合のサブディスプレーの表示の他の一例を示す平面図
【図２８】イメージ画像を拡大させる場合のサブディスプレーの表示の変形例を示す平面図
【図２９】イメージ画像を拡大させる場合のサブディスプレーの表示の変形例を示す平面図
【図３０】イメージ画像を拡大させる場合のサブディスプレーの表示の変形例を示す平面図
【図３１】デジタルカメラの設定内容をダイヤルのイメージ画像に重ねて表示する場合のサブディスプレーの表示の一例を示す平面図
【図３２】デジタルカメラの設定内容とダイヤルのイメージ画像とを異なる色で表示する場合のサブディスプレーの表示の一例を示す平面図
【図３３】デジタルカメラの設定内容の表示領域に背景を設定して表示する場合のサブディスプレーの表示の一例を示す平面図
【図３４】ダイヤルのイメージ画像を拡大した場合にデジタルカメラの設定内容の表示レイアウトを変更する場合のサブディスプレーの表示の一例を示す平面図
【図３５】デジタルカメラの設定内容を半透明化し、イメージ画像に重ねて表示する場合のサブディスプレーの表示の一例を示す平面図
【図３６】実際のダイヤルと異なる位置及びサイズでイメージ画像を表示する場合のサブディスプレーの表示の一例を示す平面図
【図３７】操作ダイヤルが近接して配置されている場合のサブディスプレーの表示の一例を示す平面図
【図３８】非操作時にイメージ画像を退避させて表示する場合のサブディスプレーの表示の一例を示す平面図
【図３９】非操作時にイメージ画像を簡素化して表示する場合のサブディスプレーの表示の一例を示す平面図
【図４０】操作時にイメージ画像を拡大して表示する場合のサブディスプレーの表示の一例を示す平面図
【図４１】非操作時にイメージ画像を簡素化して表示する場合のサブディスプレーの表示の他の一例を示す平面図
【図４２】操作ダイヤルを３つ備えたデジタルカメラの一例を示す正面図
【図４３】操作ダイヤルを３つ備えたデジタルカメラの一例を示す平面図
【図４４】非操作時におけるサブディスプレーの表示の一例を示す平面図
【図４５】操作時におけるサブディスプレーの表示の一例を示す平面図
【図４６】本実施の形態のデジタルカメラにおける第１リアコマンドダイヤル及び第２リアコマンドダイヤルを使用した操作系の機能ブロック図
【図４７】第２の実施の形態のデジタルカメラにおけるサブディスプレーへの表示制御の処理手順を示すフローチャート
【図４８】ダイヤルへの接触が検出された場合のサブディスプレーの表示の一例を示す平面図
【図４９】接触を検出した場合にダイヤルのイメージ画像の明るさを変更する場合の処理手順を示すフローチャート
【図５０】ダイヤルへの接触が検出された場合のサブディスプレーの表示の一例を示す平面図
【図５１】回転操作された場合のサブディスプレーの表示の一例を示す平面図
【図５２】第３の実施の形態のデジタルカメラにおける操作系の制御の処理手順を示すフローチャート
【発明を実施するための形態】
【０１２７】
以下、添付図面に従って本発明を実施するための好ましい形態について詳説する。
【０１２８】
〔第１の実施の形態〕
［外観構成］
図１、図２及び図３は、それぞれ本発明が適用されたデジタルカメラの一例を示す正面図、背面図、平面図である。
【０１２９】
本明細書では、光軸Ｌに沿う方向（図３のｚ方向）を前後方向とし、被写体側を前方向とする。また、光軸Ｌと直交する面において、イメージセンサー５０の長辺に沿う方向（図１のｘ方向）を横方向又は左右方向とし、イメージセンサー５０の短辺に沿う方向（図１のｙ方向）を縦方向又は上下方向とする。
【０１３０】
本実施の形態のデジタルカメラ１は、レンズ交換式のデジタルカメラであり、かつ、ノンレフレックス型のデジタルカメラである。レンズ交換式とは、レンズを交換できるデジタルカメラのことである。ノンレフレックス型とは、レンズからの入射光を光学式ファインダーに導くためのレフレックスミラーのないデジタルカメラのことであり、ミラーレスとも称される。
【０１３１】
図４は、レンズを装着したデジタルカメラの平面図である。同図に示すように、本実施の形態のデジタルカメラ１は、カメラボディ１０にレンズ２を装着して使用する。
【０１３２】
図１から図４に示すように、カメラボディ１０には、レンズマウント１２、メインディスプレー１４、サブディスプレー１６、電子ビューファインダー１８、ホットシュー２０等が備えられる。また、操作部材として、シャッターボタン３０、電源レバー３１、再生ボタン３２、撮影設定ボタン３３、メニューボタン３４、セレクターボタン３５、表示ボタン３６、消去ボタン３７、第１リアコマンドダイヤルＤ１及び第２リアコマンドダイヤルＤ２等が備えられる。
【０１３３】
《カメラボディ》
カメラボディ１０は、前後方向の厚みの薄い矩形の箱形状を有する。カメラボディ１０は、一方側（図１において左側）の端部がグリップ部として構成される。ユーザーは、グリップ部を把持してレリーズ操作する。グリップ部には、正面側にグリップ２２、背面側にサムレスト２４が備えられる。
【０１３４】
《レンズマウント》
レンズマウント１２は、レンズ２の取り付け部である。図１に示すように、レンズマウント１２は、カメラボディ１０の正面に備えられる。レンズ２は、レンズマウント１２に着脱自在に装着される。レンズマウント１２は、バヨネット式で構成される。
【０１３５】
《メインディスプレー》
メインディスプレー１４は、主として画像の表示に使用されるディスプレーである。図２に示すように、メインディスプレー１４は、カメラボディ１０の背面に備えられる。メインディスプレー１４は、たとえば、カラーＬＣＤ（ＬＣＤ：Liquid Crystal Display（液晶ディスプレー））で構成される。
【０１３６】
上記のように、メインディスプレー１４は、主として画像の表示に使用される。表示する画像には、撮影済み画像の他、ライブビュー画像が含まれる。ライブビューとは、イメージセンサーで捉えた画像をリアルタイムに表示する機能のことである。ライブビューすることにより、メインディスプレー上で画角、フォーカス状態等の確認が可能になる。
【０１３７】
また、メインディスプレー１４は、ＧＵＩ（ＧＵＩ：Graphical User Interface（グラフィカルユーザーインタフェース）としても利用される。すなわち、各種設定を行う際、メインディスプレー１４に設定画面が表示され、その設定画面で各種設定が行われる。
【０１３８】
《サブディスプレー》
サブディスプレー１６は、表示部の一例である。サブディスプレー１６は、メインディスプレー１４に比して小画面の表示装置で構成される。図３に示すように、サブディスプレー１６は、カメラボディ１０の天面に備えられる。特に、本実施の形態のデジタルカメラ１では、サブディスプレー１６が、カメラボディ１０のグリップ部側の天面に備えられる。サブディスプレー１６は、たとえば、照明を備えた反射型のＬＣＤで構成される。
【０１３９】
サブディスプレー１６には、デジタルカメラ１の設定内容が表示される。また、後述するように、サブディスプレー１６には、第１リアコマンドダイヤルＤ１及び第２リアコマンドダイヤルＤ２のイメージ画像が表示される。このイメージ画像は、ダイヤルに割り当てられた機能に対応した画像とされる。ユーザーは、このサブディスプレー１６の表示を確認しながら第１リアコマンドダイヤルＤ１及び第２リアコマンドダイヤルＤ２を操作する。この点については、後に詳述する。
【０１４０】
《電子ビューファインダー》
電子ビューファインダー（ＥＶＦ：Electronic View Finder）１８は、ＬＣＤを内蔵した電子式のファインダーである。電子ビューファインダー１８は、図２に示すように、カメラボディ１０の背面に備えられ、背面の右上隅に配置される。
【０１４１】
《ホットシュー》
ホットシュー２０は、外付けのフラッシュの取り付け部である。図３に示すように、ホットシュー２０は、カメラボディ１０の天面に備えられる。
【０１４２】
《操作部材》
カメラボディ１０には、操作部材として、シャッターボタン３０、電源レバー３１、再生ボタン３２、撮影設定ボタン３３、メニューボタン３４、セレクターボタン３５、表示ボタン３６、消去ボタン３７、第１リアコマンドダイヤルＤ１及び第２リアコマンドダイヤルＤ２等が備えられる。
【０１４３】
〈シャッターボタン〉
シャッターボタン３０は、グリップ部側のカメラボディ１０の天面（上面）に備えられる。シャッターボタン３０は、いわゆる半押しと全押しとからなる二段式のスイッチで構成される。シャッターボタン３０が半押しされると、測光、測距等の撮影準備が行われ、全押しされると、本撮影が行われる。
【０１４４】
〈電源レバー〉
電源レバー３１は、シャッターボタン３０と同軸上に配置される。電源レバー３１は、回転式のレバーで構成される。電源レバー３１をオン位置に回転させると、デジタルカメラ１の電源がオンされ、オフ位置に回転させると、デジタルカメラ１の電源がオフされる。
【０１４５】
〈再生ボタン〉
再生ボタン３２は、デジタルカメラ１のモードを再生モードに切り替えるボタンである。再生ボタン３２は、カメラボディ１０の背面に備えられる。デジタルカメラ１のモードが撮影モードに設定されている状態で再生ボタン３２を押すと、デジタルカメラ１のモードが再生モードに切り替えられる。再生モードに設定されると、最後に撮影した画像がメインディスプレー１４に表示される。
【０１４６】
なお、再生モードから撮影モードに切り替える機能は、シャッターボタン３０に割り当てられている。再生モードに設定されている状態でシャッターボタン３０を押すと、デジタルカメラ１のモードが撮影モードに切り替えられる。
【０１４７】
〈撮影設定ボタン〉
撮影設定ボタン３３は、撮影条件の設定画面をメインディスプレー１４に呼び出すボタンである。撮影設定ボタン３３は、カメラボディ１０の背面に備えられる。撮影設定ボタン３３を押すと、撮影モード、フォーカスモード、感度、画像サイズ、画質モード、セルフタイマー等の各種撮影条件を設定するための画面がメインディスプレー１４に表示される。ユーザーは、メインディスプレー１４の表示に従い、セレクターボタン３５等を利用して所望の設定を行う。
【０１４８】
〈メニューボタン〉
メニューボタン３４は、メニュー画面をメインディスプレー１４に呼び出すボタンである。メニューボタン３４は、カメラボディ１０の背面に備えられる。撮影モード又は再生モードに設定されている状態でメニューボタン３４を押すと、メインディスプレー１４にメニュー画面が表示される。
【０１４９】
メニューボタン３４は、メインディスプレー１４に表示される選択事項、確認事項等についてＯＫを指示するボタン、すなわち、ＯＫボタンとしても機能する。
【０１５０】
〈セレクターボタン〉
セレクターボタン３５は、メニューボタン３４を中心にして同一円上に配置された上下左右の４つのボタンで構成される。各ボタンには、デジタルカメラ１の設定状況に応じた機能が割り当てられる。たとえば、デジタルカメラ１が再生モードに設定されている場合、図２において右方向のボタンには１コマ送りの機能が割り当てられ、左方向のボタンには１コマ戻しの機能が割り当てられる。また、上方向のボタンにはズームインの機能が割り当てられ、下方向のボタンにはズームアウトの機能が割り当てられる。また、デジタルカメラ１が撮影モードに設定されている場合、図２において右方向のボタンには、ホワイトバランスの設定画面を呼び出す機能が割り当てられ、左方向のボタンには、セルフタイマーの設定画面を呼び出す機能が割り当てられる。また、上方向のボタンには、ＡＦモード（ＡＦ：Auto Focus）の設定画面を呼び出す機能が割り当てられ、下方向のボタンには、連写モードの設定画面を呼び出す機能が割り当てられる。さらに、メインディスプレー１４に各種設定画面を呼び出した場合には、画面上でカーソルを各方向に移動させるボタンとして機能する。
【０１５１】
〈表示ボタン〉
表示ボタン３６は、メインディスプレー１４の表示形態の切り替えを指示するボタンである。表示ボタン３６は、カメラボディ１０の背面に備えられる。再生モード又は撮影モードに設定されている状態において、表示ボタン３６が押されると、メインディスプレー１４の表示形態が切り替えられる。たとえば、再生モードに設定されている状態で表示ボタン３６が押されると、メインディスプレー１４に表示されている画像の撮影条件、ヒストグラム等が画像に重ねて表示される。また、たとえば、撮影モードに設定されている状態で表示ボタン３６が押されると、撮影条件、ヒストグラム等の各種情報がライブビュー画像に重ねて表示される。
【０１５２】
表示ボタン３６は、メインディスプレー１４の表示を１つ前の状態に戻すことを指示するボタン、すなわち、ＢＡＣＫボタンとしても機能する。たとえば、各種設定画面がメインディスプレー１４に表示されている状態で表示ボタン３６が押されると、メインディスプレー１４の表示が１つ前の状態に戻される。これにより、選択事項、確認事項等をキャンセルできる。
【０１５３】
〈消去ボタン〉
消去ボタン３７は、メインディスプレー１４に表示されている撮影済み画像の消去を指示するボタンである。消去ボタン３７は、カメラボディ１０の背面に備えられる。撮影済み画像をメインディスプレー１４に表示している状態で消去ボタン３７を押すと、消去を確認する画面がメインディスプレー１４に表示される。メインディスプレー１４の表示に従って消去の実行を指示すると、再生中の撮影済み画像がメモリーカードから消去される。
【０１５４】
〈第１リアコマンドダイヤル及び第２リアコマンドダイヤル〉
第１リアコマンドダイヤルＤ１及び第２リアコマンドダイヤルＤ２は、カメラボディ１０に備えられる複数個の操作ダイヤルの一例である。第１リアコマンドダイヤルＤ１及び第２リアコマンドダイヤルＤ２には、デジタルカメラ１の設定状態に応じて、種々の機能が割り当てられる。図２に示すように、第１リアコマンドダイヤルＤ１及び第２リアコマンドダイヤルＤ２は、カメラボディ１０の背面に備えられる。特に本実施の形態のデジタルカメラ１では、背面の左上隅に配置され、横方向に並列して配置される。
【０１５５】
この第１リアコマンドダイヤルＤ１及び第２リアコマンドダイヤルＤ２が配置される位置は、グリップ部を把持した手の親指で操作可能な位置とされる。より具体的には、グリップ部を把持した手の親指を横方向にスライドさせる動作によって操作可能な位置とされる。
【０１５６】
また、この第１リアコマンドダイヤルＤ１及び第２リアコマンドダイヤルＤ２が配置される位置は、図３に示すように、サブディスプレー１６の下とされる。すなわち、サブディスプレー１６の下に重なる位置に第１リアコマンドダイヤルＤ１及び第２リアコマンドダイヤルＤ２が配置される。第１リアコマンドダイヤルＤ１及び第２リアコマンドダイヤルＤ２は、それぞれカメラボディ１０の内部において、サブディスプレー１６の下に配置され、その外周の一部がカメラボディ１０の外表面に露出して配置される。これにより、第１リアコマンドダイヤルＤ１及び第２リアコマンドダイヤルＤ２は、その天面の一部がサブディスプレー１６によって覆い隠された状態でカメラボディ１０に配置される。ユーザーは、カメラボディ１０の外表面から露出した部分を利用して、第１リアコマンドダイヤルＤ１及び第２リアコマンドダイヤルＤ２を回転操作する。
【０１５７】
第１リアコマンドダイヤルＤ１及び第２リアコマンドダイヤルＤ２は、共にエンドレスに回転可能に設けられ、かつ、正逆回転可能に設けられる。第１リアコマンドダイヤルＤ１及び第２リアコマンドダイヤルＤ２の回転軸はｙ方向と平行に設定される。
【０１５８】
また、第１リアコマンドダイヤルＤ１及び第２リアコマンドダイヤルＤ２は、共にクリック機構を有し、一定の角度間隔でクリックストップ可能に構成される。クリックストップとは、クリック感を伴って回転を停止させる機能のことである。クリック機構を有することにより、第１リアコマンドダイヤルＤ１及び第２リアコマンドダイヤルＤ２は、回転させると、一定の角度間隔でクリック感が発生する。なお、この種のクリック機構は公知の技術であるので、その構成についての説明は省略する。
【０１５９】
さらに、第１リアコマンドダイヤルＤ１及び第２リアコマンドダイヤルＤ２は、共に押込み操作可能に構成される。押込み操作とは、第１リアコマンドダイヤルＤ１及び第２リアコマンドダイヤルＤ２をカメラボディ１０に向けて押し込む操作である。押し込む方向は、回転軸と直交する方向である。本実施の形態のデジタルカメラ１では、第１リアコマンドダイヤルＤ１及び第２リアコマンドダイヤルＤ２を光軸Ｌに添って前方向に押込み操作可能に設けられる。なお、この種の押込み操作機構は公知の技術であるので、その構成についての説明は省略する。
【０１６０】
上記のように、第１リアコマンドダイヤルＤ１及び第２リアコマンドダイヤルＤ２には、デジタルカメラ１の設定状態に応じて種々の機能が割り当てられる。また、上記のように、サブディスプレー１６には、第１リアコマンドダイヤルＤ１及び第２リアコマンドダイヤルＤ２のイメージ画像が表示される。このイメージ画像は、第１リアコマンドダイヤルＤ１及び第２リアコマンドダイヤルＤ２に割り当てられた機能に応じた画像とされる。第１リアコマンドダイヤルＤ１及び第２リアコマンドダイヤルＤ２に割り当てる機能、及び、サブディスプレー１６へのイメージ画像の表示については、後に詳述する。
【０１６１】
［制御系］
図５は、デジタルカメラの制御系の概略構成を示すブロック図である。
【０１６２】
デジタルカメラ１は、イメージセンサー５０、イメージセンサー駆動部５２、シャッター５４、シャッター駆動部５６、アナログ信号処理部５８、画像データ入力部６０、ワークメモリ６２、データメモリ６４、デジタル信号処理部６６、記録制御部６８、メインディスプレー駆動部７０、サブディスプレー駆動部７２、操作部７４、システムコントローラー８０等を有する。
【０１６３】
イメージセンサー５０は、レンズ２を介して結像した被写体の光学像を電気信号に変換して出力する。イメージセンサー５０には、ＣＣＤイメージセンサー（ＣＣＤ：Charged Coupled Device）、ＣＭＯＳイメージセンサー（ＣＭＯＳ：Complementary Metal Oxide Semiconductor）等の公知のイメージセンサーが使用される。
【０１６４】
イメージセンサー駆動部５２は、システムコントローラー８０からの指令に応じて、イメージセンサー５０を駆動する。
【０１６５】
シャッター５４は、スクエア型のフォーカルプレーンシャッターで構成され、イメージセンサー５０の直前に配置される。なお、図１は、シャッターが全開された状態が示されている。
【０１６６】
シャッター駆動部５６は、システムコントローラー８０からの指令に応じて、シャッター５４を駆動する。
【０１６７】
アナログ信号処理部５８は、イメージセンサー５０から出力された信号を取り込み、相関二重サンプリング処理、増幅処理等の所要の信号処理を施す。また、アナログ信号処理部５８は、所要の信号処理を施したアナログの画像信号をデジタルの画像信号に変換して出力する。
【０１６８】
画像データ入力部６０は、システムコントローラー８０からの指令に応じて、アナログ信号処理部５８から出力されるデジタルの画像信号を取り込む。取り込まれた１枚分の画像データは、ワークメモリ６２に格納される。
【０１６９】
ワークメモリ６２は、作業用のメモリとして利用される。データメモリ６４は、ＥＥＰＲＯＭ （ＥＥＰＲＯＭ：Electrically Erasable Programmable Read Only Memory）等の不揮発性メモリで構成され、制御等に必要なデータが記憶される。
【０１７０】
デジタル信号処理部６６は、ワークメモリ６２に取り込まれた画像データに対して、同時化処理、ホワイトバランス補正、ガンマ補正、輪郭補正等の所要の信号処理を施し、輝度データ（Ｙデータ）と色差データ（Ｃｒ，Ｃｂデータ）とからなる所定の画像データを生成する。
【０１７１】
記録制御部６８は、システムコントローラー８０からの指令に応じて、メモリーカード７８にアクセスし、データを読み書きする。撮影により得られた画像データは、メモリーカード７８に記録される。
【０１７２】
メインディスプレー駆動部７０は、システムコントローラー８０からの指令に応じて、メインディスプレー１４を駆動する。
【０１７３】
サブディスプレー駆動部７２は、システムコントローラー８０からの指令に応じて、サブディスプレー１６を駆動する。
【０１７４】
操作部７４は、シャッターボタン３０、電源レバー３１、再生ボタン３２、撮影設定ボタン３３、メニューボタン３４、セレクターボタン３５、表示ボタン３６、消去ボタン３７等を含み、各操作部材の操作に応じた信号をシステムコントローラー８０に出力する。
【０１７５】
システムコントローラー８０は、デジタルカメラ１の各部の動作を制御する制御部である。システムコントローラー８０は、マイクロコンピューターで構成される。すなわち、マイクロコンピューターが所定の制御プログラムを実行することによりシステムコントローラー８０として機能し、デジタルカメラ１の各部の動作を制御する制御部として機能する。
【０１７６】
システムコントローラー８０は、レンズ２の制御部としても機能する。システムコントローラー８０は、レンズ２に備えられたレンズ駆動部２ａを介して、レンズ２の動作を制御する。レンズ２は、絞り、フォーカスレンズ等を備える。レンズ駆動部２ａは、絞りを駆動する絞り駆動部、フォーカスレンズを駆動するフォーカスレンズ駆動部等を備える。
【０１７７】
［第１リアコマンドダイヤル及び第２リアコマンドダイヤルを使用した操作系］
図６は、第１リアコマンドダイヤル及び第２リアコマンドダイヤルを使用した操作系の機能ブロック図である。
【０１７８】
第１リアコマンドダイヤル及び第２リアコマンドダイヤルを使用した操作系１００は、第１リアコマンドダイヤルＤ１及び第２リアコマンドダイヤルＤ２に割り当てる機能を設定する機能設定部１１０と、第１リアコマンドダイヤルＤ１の操作に応じて第１リアコマンドダイヤルＤ１に割り当てられた機能の設定又は指示を行う第１設定部１１２と、第２リアコマンドダイヤルＤ２の操作に応じて第２リアコマンドダイヤルＤ２に割り当てられた機能の設定又は指示を行う第２設定部１１４と、サブディスプレー１６の表示を制御するサブディスプレー表示制御部１１６と、を備える。
【０１７９】
《機能設定部》
機能設定部１１０は、第１リアコマンドダイヤルＤ１及び第２リアコマンドダイヤルＤ２に割り当てる機能を設定する。第１リアコマンドダイヤルＤ１及び第２リアコマンドダイヤルＤ２に割り当てられる機能は、デジタルカメラ１の設定状態に応じて自動的に切り替えられる。また、第１リアコマンドダイヤルＤ１及び第２リアコマンドダイヤルＤ２に割り当てられる機能は、第１リアコマンドダイヤルＤ１及び第２リアコマンドダイヤルＤ２の押込み操作によって切り替えられる。
【０１８０】
〈デジタルカメラの設定状態に応じて割り当てられる機能〉
図７は、デジタルカメラの設定状態に応じて第１リアコマンドダイヤル及び第２リアコマンドダイヤルに割り当てられる機能の一覧表である。
【０１８１】
第１リアコマンドダイヤルＤ１及び第２リアコマンドダイヤルＤ２は、撮影モードと再生モードとで割り当てられる機能が切り替えられる。また、撮影モードにおいても、設定されたモードに応じて割り当てられる機能が切り替えられる。図７は、選択可能な撮影モードとして、プログラム、シャッタースピード優先、絞り優先、マニュアルが用意されている場合の例が示されている。
【０１８２】
ここで、プログラムとは、露出を一定にしたまま、ユーザーが絞り値とシャッタースピードの組み合わせを変更できるモードである。いわゆるプログラムシフトが可能な撮影モードのことである。
【０１８３】
シャッタースピード優先とは、ユーザーが選択したシャッタースピードに対して適正露出となるような絞り値をカメラが自動的に決定するモードである。
【０１８４】
絞り優先とは、ユーザーが選択した絞り値に対して適正露出となるようなシャッタースピードをカメラが自動的に決定するモードである。
【０１８５】
マニュアルとは、シャッタースピード、絞り値をユーザーが選択するモードである。
【０１８６】
（１）プログラム
撮影モードがプログラムに設定された場合、第１リアコマンドダイヤルＤ１には、露出補正値を設定する機能が割り当てられる。すなわち、撮影モードがプログラムに設定された場合、第１リアコマンドダイヤルＤ１には、露出補正ダイヤルとしての機能が割り当てられる。また、第２リアコマンドダイヤルＤ２には、プログラムシフトの機能が割り当てられる。
【０１８７】
ここで、プログラムシフトとは、露出を一定にしたまま、絞り値とシャッタースピードの組み合わせを変更する機能をいう。本例では、ダイヤルを反時計回りに回転させると、シャッタースピードが速くされ、時計回りに回転させると、シャッタースピードが遅くされる。
【０１８８】
（２）シャッタースピード優先
撮影モードがシャッタースピード優先に設定された場合、第１リアコマンドダイヤルＤ１には、露出補正値を設定する機能が割り当てられる。すなわち、撮影モードがシャッタースピード優先に設定された場合、第１リアコマンドダイヤルＤ１には、露出補正ダイヤルとしの機能が割り当てられる。また、第２リアコマンドダイヤルＤ２には、シャッタースピードを設定する機能が割り当てられる。すなわち、第２リアコマンドダイヤルＤ２には、シャッタースピードダイヤルとしての機能が割り当てられる。
【０１８９】
（３）絞り優先
撮影モードが絞り優先に設定された場合、第１リアコマンドダイヤルＤ１には、露出補正値を設定する機能が割り当てられる。すなわち、撮影モードが絞り優先に設定された場合、第１リアコマンドダイヤルＤ１には、露出補正ダイヤルとしての機能が割り当てられる。また、第２リアコマンドダイヤルＤ２には、絞り値を設定する機能が割り当てられる。すなわち、第２リアコマンドダイヤルＤ２には、絞りダイヤルとしての機能が割り当てられる。
【０１９０】
（４）マニュアル
撮影モードがマニュアルに設定された場合、第１リアコマンドダイヤルＤ１には、シャッタースピードを設定する機能が割り当てられる。すなわち、第１リアコマンドダイヤルＤ１には、シャッタースピードダイヤルとしての機能が割り当てられる。また、第２リアコマンドダイヤルＤ２には、絞り値を設定する機能が割り当てられる。すなわち、第２リアコマンドダイヤルＤ２には、絞りダイヤルとしての機能が割り当てられる。
【０１９１】
（５）再生モード
デジタルカメラ１のモードが、再生モードに設定されると、第１リアコマンドダイヤルＤ１には、コマ送りを指示する機能が割り当てられる。すなわち、第１リアコマンドダイヤルＤ１には、コマ送りダイヤルとしての機能が割り当てられる。また、第２リアコマンドダイヤルＤ２には、再生ズームを指示する機能が割り当てられる。すなわち、第２リアコマンドダイヤルＤ２には、再生ズームダイヤルとしての機能が割り当てられる。
【０１９２】
再生モードに設定された場合、第１リアコマンドダイヤルＤ１を反時計回りに回転させると、１クリックごとに１コマずつ画像がコマ送りされる。また、第１リアコマンドダイヤルＤ１を時計回りに回転させると、１クリックごとに１コマずつ画像が逆コマ送りされる。
【０１９３】
また、再生モードに設定された場合、第２リアコマンドダイヤルＤ２を反時計回りに回転させると、１クリックごとに再生中の画像が一定の倍率で拡大される。また、第２リアコマンドダイヤルＤ２を時計回りに回転させると、１クリックごとに再生中の画像が一定の倍率で縮小される。
【０１９４】
〈押込み操作に応じて割り当てられる機能〉
デジタルカメラ１が撮影モードに設定された状態において、第１リアコマンドダイヤルＤ１が押込み操作されると、第１リアコマンドダイヤルＤ１には、撮影モードを選択する機能が割り当てられる。すなわち、第１リアコマンドダイヤルＤ１には、モードダイヤルとしての機能が割り当てられる。
【０１９５】
また、デジタルカメラ１が撮影モードに設定された状態において、第２リアコマンドダイヤルＤ２が押込み操作されると、第２リアコマンドダイヤルＤ２には、感度を設定する機能が割り当てられる。
【０１９６】
第１リアコマンドダイヤルＤ１にモードダイヤルとしての機能が割り当てられている場合において、第１リアコマンドダイヤルＤ１が押込み操作されると、第１リアコマンドダイヤルＤ１及び第２リアコマンドダイヤルＤ２には、選択された撮影モードに応じた機能が割り当てられる。同様に、第２リアコマンドダイヤルＤ２にモードダイヤルとしての機能が割り当てられている場合において、第２リアコマンドダイヤルＤ２が押込み操作されると、第１リアコマンドダイヤルＤ１及び第２リアコマンドダイヤルＤ２には、選択された撮影モードに応じた機能が割り当てられる。
【０１９７】
機能設定部１１０は、システムコントローラー８０の一機能として提供される。すなわち、第１リアコマンドダイヤルＤ１及び第２リアコマンドダイヤルＤ２に割り当てる機能を設定する際、システムコントローラー８０が機能設定部１１０として機能する。
【０１９８】
なお、第１リアコマンドダイヤルＤ１の押込み操作は、第１リアコマンドダイヤルＤ１に備えられた第１押込み操作検出部１２０で検出される。第１押込み操作検出部１２０は、第１リアコマンドダイヤルＤ１が、一定量以上押し込まれたことを検出して、第１リアコマンドダイヤルＤ１の押し込み操作を検出する。第１押込み操作検出部１２０の検出結果は、システムコントローラー８０に出力される。
【０１９９】
また、第２リアコマンドダイヤルＤ２の押込み操作は、第２リアコマンドダイヤルＤ２に備えられた第２押込み操作検出部１２２で検出される。第２押込み操作検出部１２２は、第２リアコマンドダイヤルＤ２が、一定量以上押し込まれたことを検出して、第２リアコマンドダイヤルＤ２の押し込み操作を検出する。第２押込み操作検出部１２２の検出結果は、システムコントローラー８０に出力される。
【０２００】
《第１設定部》
第１設定部１１２は、第１リアコマンドダイヤルＤ１の回転操作に応じて、第１リアコマンドダイヤルＤ１に割り当てられた機能の設定又は指示を行う。たとえば、第１リアコマンドダイヤルＤ１に露出補正値を設定する機能が割り当てられた場合、第１リアコマンドダイヤルＤ１の回転操作に応じて、露出補正値を設定する。また、第１リアコマンドダイヤルＤ１にコマ送りを指示する機能が割り当てられた場合、第１リアコマンドダイヤルＤ１の回転操作に応じて、コマ送りを指示する。
【０２０１】
ここで、第１リアコマンドダイヤルＤ１の回転操作は、第１リアコマンドダイヤルＤ１に備えられた第１回転操作検出部１２４で検出される。第１回転操作検出部１２４は、第１リアコマンドダイヤルＤ１の回転操作方向及び回転操作量を検出する。第１回転操作検出部１２４は、ロータリーエンコーダー、回転ブラシ等の公知の回転検出手段で構成される。第１回転操作検出部１２４の検出結果は、システムコントローラー８０に出力される。
【０２０２】
《第２設定部》
第２設定部１１４は、第２リアコマンドダイヤルＤ２の回転操作に応じて、第２リアコマンドダイヤルＤ２に割り当てられた機能の設定又は指示を行う。たとえば、第２リアコマンドダイヤルＤ２にシャッタースピードを設定する機能が割り当てられた場合、第２リアコマンドダイヤルＤ２の回転操作に応じて、シャッタースピードを設定する。また、第２リアコマンドダイヤルＤ２に再生ズームを指示する機能が割り当てられた場合、第２リアコマンドダイヤルＤ２の回転操作に応じて、ズームイン、ズームアウトを指示する。
【０２０３】
ここで、第２リアコマンドダイヤルＤ２の回転操作は、第２リアコマンドダイヤルＤ２に備えられた第２回転操作検出部１２６で検出される。第２回転操作検出部１２６は、第２リアコマンドダイヤルＤ２の回転操作方向及び回転操作量を検出する。第２回転操作検出部１２６は、ロータリーエンコーダー、回転ブラシ等の公知の回転検出手段で構成される。第２回転操作検出部１２６の検出結果は、システムコントローラー８０に出力される。
【０２０４】
《サブディスプレー表示制御部》
サブディスプレー表示制御部１１６は、表示制御部の一例である。サブディスプレー表示制御部１１６は、表示部であるサブディスプレー１６の表示を制御する。サブディスプレー表示制御部１１６は、デジタルカメラ１の設定内容をサブディスプレー１６に表示する。また、サブディスプレー表示制御部１１６は、第１リアコマンドダイヤルＤ１及び第２リアコマンドダイヤルＤ２のイメージ画像をサブディスプレー１６に表示する。
【０２０５】
ここで、第１リアコマンドダイヤルＤ１及び第２リアコマンドダイヤルＤ２のイメージ画像とは、回転式の操作ダイヤルである第１リアコマンドダイヤルＤ１及び第２リアコマンドダイヤルＤ２を表わす画像である。この画像は、第１リアコマンドダイヤルＤ１及び第２リアコマンドダイヤルＤ２に割り当てられた機能に対応した画像で構成される。たとえば、第１リアコマンドダイヤルＤ１に露出補正値を設定する機能が割り当てられた場合、そのイメージ画像は、露出補正用の文字盤を含む画像で構成される。また、たとえば、第２リアコマンドダイヤルＤ２にシャッタースピードを設定する機能が割り当てられた場合、そのイメージ画像は、シャッタースピード設定用の文字盤を含む画像で構成される。
【０２０６】
サブディスプレー表示制御部１１６は、デジタルカメラ１の設定に応じて、サブディスプレー１６の表示を制御する。また、サブディスプレー表示制御部１１６は、第１リアコマンドダイヤルＤ１及び第２リアコマンドダイヤルＤ２の操作に応じて、サブディスプレー１６の表示を制御する。
【０２０７】
以下、このサブディスプレー表示制御部１１６によるサブディスプレー１６の表示制御について説明する。
【０２０８】
［サブディスプレーの表示］
図８は、サブディスプレーの表示の一例を示す平面図である。
【０２０９】
上記のように、サブディスプレー１６には、デジタルカメラ１の設定内容と、第１リアコマンドダイヤルＤ１及び第２リアコマンドダイヤルＤ２のイメージ画像とが表示される。
【０２１０】
《デジタルカメラの設定内容》
図８に示すように、本実施の形態のデジタルカメラ１では、現在設定されている撮影モードの情報ｉ１、現在設定されているシャッタースピードの情報ｉ２、現在設定されている絞り値の情報ｉ３、現在設定されている感度の情報ｉ４、及び、撮影可能枚数の情報ｉ５が、デジタルカメラ１の設定内容として、サブディスプレー１６に表示される。
【０２１１】
シャッタースピード、絞り値、感度（ＩＳＯ感度（ＩＳＯ：International Organization for Standardization（国際標準化機構）））、撮影可能枚数の各情報ｉ２〜ｉ５は、数値で表示され、撮影モードの情報ｉ１は記号で表示される。図８に示す例では、撮影モードがシャッタースピード優先、シャッタースピードが１／６０秒、絞り値がＦ５．６、感度がＩＳＯ２００、撮影可能枚数が９９枚の場合を示している。撮影モードは、プログラムに設定されている場合、文字が「Ｐ」の記号で表示され、シャッタースピード優先に設定されている場合、文字が「Ｓ」の記号で表示される。また、絞り優先に設定されている場合、文字が「Ａ」の記号で表示され、マニュアルに設定されている場合、文字が「Ｍ」の記号で表示される。
【０２１２】
サブディスプレー表示制御部１１６は、デジタルカメラ１の設定内容の情報を取得し、所定位置に各情報ｉ１〜ｉ５を表示する。
【０２１３】
《第１リアコマンドダイヤル及び第２リアコマンドダイヤルのイメージ画像》
上記のように、第１リアコマンドダイヤルＤ１のイメージ画像Iｍ１及び第２リアコマンドダイヤルＤ２のイメージ画像Ｉｍ２は、第１リアコマンドダイヤルＤ１及び第２リアコマンドダイヤルＤ２を表わす画像で構成され、少なくとも文字盤を含む画像で構成される。
【０２１４】
第１リアコマンドダイヤルＤ１のイメージ画像Iｍ１及び第２リアコマンドダイヤルＤ２のイメージ画像Ｉｍ２は、それぞれ第１リアコマンドダイヤルＤ１及び第２リアコマンドダイヤルＤ２の隠れた部分を補完する画像で構成される。すなわち、第１リアコマンドダイヤルＤ１のイメージ画像Iｍ１及び第２リアコマンドダイヤルＤ２のイメージ画像Ｉｍ２は、カメラボディ１０から露出した第１リアコマンドダイヤルＤ１及び第２リアコマンドダイヤルＤ２の外周を延長した円弧状の外形形状を有する画像で構成される。
【０２１５】
本実施の形態のデジタルカメラ１では、天面に文字盤を備えた円盤形状の操作ダイヤルを平面視した画像で第１リアコマンドダイヤルＤ１のイメージ画像Iｍ１及び第２リアコマンドダイヤルＤ２のイメージ画像Ｉｍ２が構成される。具体的には、図８に示すように、第１リアコマンドダイヤルＤ１のイメージ画像Iｍ１及び第２リアコマンドダイヤルＤ２のイメージ画像Ｉｍ２は、それぞれ円弧状の外形形状を有し、その外形を画定する円弧Ｃ１及びＣ２の内側に文字盤を構成する画像が表示される。外形を画定する円弧Ｃ１及びＣ２は、それぞれカメラボディ１０から露出した第１リアコマンドダイヤルＤ１及び第２リアコマンドダイヤルＤ２の外周を延長したものとされる。
【０２１６】
〈サブディスプレーへの表示態様〉
本実施の形態のデジタルカメラ１では、第１リアコマンドダイヤルＤ１のイメージ画像Iｍ１及び第２リアコマンドダイヤルＤ２のイメージ画像Ｉｍ２が、それぞれ第１リアコマンドダイヤルＤ１及び第２リアコマンドダイヤルＤ２と同じサイズ（ほぼ同じサイズを含む）でサブディスプレー１６に表示される。すなわち、第１リアコマンドダイヤルＤ１のイメージ画像Ｉｍ１は、実際の第１リアコマンドダイヤルＤ１と同じ外径でサブディスプレー１６に表示され、第２リアコマンドダイヤルＤ２のイメージ画像Ｉｍ２は、実際の第２リアコマンドダイヤルＤ２と同じ外径でサブディスプレー１６に表示される。
【０２１７】
また、第１リアコマンドダイヤルＤ１のイメージ画像Ｉｍ１は、第１リアコマンドダイヤルＤ１が配置されている位置に表示され、第２リアコマンドダイヤルＤ２のイメージ画像Ｉｍ２は、第２リアコマンドダイヤルＤ２が配置されている位置に表示される。すなわち、第１リアコマンドダイヤルＤ１のイメージ画像Ｉｍ１は、実際の第１リアコマンドダイヤルＤ１の回転軸ａ１と同軸上に表示され、第２リアコマンドダイヤルＤ２のイメージ画像Ｉｍ２は、実際の第２リアコマンドダイヤルＤ２の回転軸ａ２と同軸上に表示される。
【０２１８】
この結果、本実施の形態のデジタルカメラ１では、第１リアコマンドダイヤルＤ１のイメージ画像Iｍ１及び第２リアコマンドダイヤルＤ２のイメージ画像Ｉｍ２が、それぞれ実際の第１リアコマンドダイヤルＤ１及び第２リアコマンドダイヤルＤ２に重なるように表示される。すなわち、実際の第１リアコマンドダイヤルＤ１及び第２リアコマンドダイヤルＤ２の隠れた部分をイメージ画像で補完するように、第１リアコマンドダイヤルＤ１のイメージ画像Iｍ１及び第２リアコマンドダイヤルＤ２のイメージ画像Ｉｍ２が表示される。これにより、あたかも第１リアコマンドダイヤルＤ１及び第２リアコマンドダイヤルＤ２が、カメラボディ１０の天面に備えられているかのように見せることができる。
【０２１９】
〈イメージ画像の具体例〉
第１リアコマンドダイヤルＤ１のイメージ画像Iｍ１及び第２リアコマンドダイヤルＤ２のイメージ画像Ｉｍ２は、第１リアコマンドダイヤルＤ１及び第２リアコマンドダイヤルＤ２に割り当てられた機能に対応した画像で構成される。具体的には、文字盤を構成する画像が、割り当てられた機能に対応した画像で構成される。
【０２２０】
図８に示す例は、第１リアコマンドダイヤルＤ１に露出補正値を設定する機能が割り当てられ、第２リアコマンドダイヤルＤ２にシャッタースピードを設定する機能が割り当てられた場合の例が示されている。この場合、第１リアコマンドダイヤルＤ１のイメージ画像Ｉｍ１は、その文字盤の画像が、露出補正値設定用の画像で構成される。また、第２リアコマンドダイヤルＤ２のイメージ画像Ｉｍ２は、その文字盤が、シャッタースピード設定用の画像で構成される。
【０２２１】
上記のように、本実施の形態のデジタルカメラ１では、第１リアコマンドダイヤルＤ１及び第２リアコマンドダイヤルＤ２に露出補正値を設定する機能、シャッタースピードを設定する機能、感度を設定する機能、絞り値を設定する機能、プログラムシフトの機能、撮影モードを設定する機能、コマ送りを指示する機能、再生ズームを指示する機能等が割り当てられる。
【０２２２】
（１）露出補正値を設定する機能が割り当てられた場合のイメージ画像
図９は、露出補正値を設定する機能が割り当てられた場合の操作ダイヤルのイメージ画像の一例を示す図である。
【０２２３】
露出補正値を設定する機能が割り当てられた場合、その操作ダイヤルは、露出補正ダイヤルとして機能する。露出補正ダイヤルのイメージ画像は、文字盤部分に設定可能な露出補正値が表示される。各露出補正値は、ダイヤルの回転軸を中心とした同一円周上に一定ピッチで表示される。
【０２２４】
図９に示す例は、−３から＋３までの間において、１／３段のステップ幅で露出補正する場合のイメージ画像の一例を示している。この場合、中間値（±０と＋１の間、＋１と＋２の間、＋２と＋３の間、±０と−１の間、−１と−２の間、−２と−３の間）は、ドット「・」で表示される。
【０２２５】
なお、実際にサブディスプレー１６に表示されるイメージ画像は、図８に示すように、一部が切り欠かれた画像となる。他の機能のイメージ画像も同様である。
【０２２６】
（２）シャッタースピードを設定する機能が割り当てられた場合のイメージ画像
図１０は、シャッタースピードを設定する機能が割り当てられた場合の操作ダイヤルのイメージ画像の一例を示す図である。
【０２２７】
シャッタースピードを設定する機能が割り当てられた場合、その操作ダイヤルは、シャッタースピードダイヤルとして機能する。シャッタースピードダイヤルのイメージ画像は、文字盤部分に設定可能なシャッタースピードが表示される。各シャッタースピードの値は、ダイヤルの回転軸を中心とした同一円周上に一定ピッチで表示される。
【０２２８】
図１０に示す例は、１秒から１／４０００秒まで間において、１段のステップ幅でシャッタースピードを設定する場合のイメージ画像の一例を示している。
【０２２９】
なお、シャッタースピードは、逆数で表示される。すなわち、たとえば、１／６０秒は、６０と表示され、１／４０００秒は４０００と表示される。
【０２３０】
また、図１０に示す例において、「Ｂ」はバルブ撮影モード、「Ｔ」はタイム撮影モードを表わしている。バルブ撮影モードとは、シャッターボタン３０を押している間、シャッターを開き、離すと閉じるモードのことである。また、タイム撮影モードとは、露光時間をユーザーが指定するモードである。主として長時間露光に使用される。露光時間の指定は別途行われる。
【０２３１】
（３）感度を設定する機能が割り当てられた場合のイメージ画像
図１１は、感度を設定する機能が割り当てられた場合の操作ダイヤルのイメージ画像の一例を示す図である。
【０２３２】
感度を設定する機能が割り当てられた場合、その操作ダイヤルは、感度ダイヤルとして機能する。感度ダイヤルのイメージ画像は、文字盤部分に設定可能な感度が表示される。各感度の値は、ダイヤルの回転軸を中心とした同一円周上に一定ピッチで表示される。
【０２３３】
図１１に示す例は、ＩＳＯ１００からＩＳＯ５１２００までの間において、１段のステップ幅で感度を設定する場合のイメージ画像の一例を示している。
【０２３４】
（４）絞り値を設定する機能が割り当てられた場合のイメージ画像
図１２は、絞り値を設定する機能が割り当てられた場合の操作ダイヤルのイメージ画像の一例を示す図である。
【０２３５】
絞り値を設定する機能が割り当てられた場合、その操作ダイヤルは、絞りダイヤルとして機能する。絞りダイヤルのイメージ画像は、文字盤部分に設定可能な絞り値が表示される。各絞り値は、ダイヤルの回転軸を中心とした同一円周上に一定ピッチで表示される。
【０２３６】
図１２に示す例は、Ｆ１．４からＦ３２秒まで１段のステップ幅で絞り値を設定する場合のイメージ画像の一例を示している。設定可能な絞り値は、使用する撮影レンズに応じて一意に定められる。
【０２３７】
（５）撮影モードを設定する機能が割り当てられた場合のイメージ画像
図１３は、撮影モードを設定する機能が割り当てられた場合の操作ダイヤルのイメージ画像の一例を示す図である。
【０２３８】
撮影モードを設定する機能が割り当てられた場合、その操作ダイヤルは、モードダイヤルとして機能する。モードダイヤルのイメージ画像は、文字盤部分に設定可能な撮影モードが表示される。設定可能な撮影モードは、ダイヤルの回転軸を中心とした同一円周上に一定ピッチで表示される。
【０２３９】
図１３に示す例は、撮影モードとして、プログラム、シャッタースピード優先、絞り優先、マニュアルを選択できる場合のイメージ画像の一例を示している。各モードは、アルファベット一文字で表示される。具体的には、プログラムは「Ｐ」、シャッタースピード優先は「Ｓ」、絞り優先は「Ａ」、マニュアルは「Ｍ」で表示される。
【０２４０】
（６）プログラムシフトの機能が割り当てられた場合のイメージ画像
図１４は、プログラムシフトの機能が割り当てられた場合の操作ダイヤルのイメージ画像の一例を示す図である。
【０２４１】
プログラムシフトの機能が割り当てられた場合、その操作ダイヤルのイメージ画像は、文字盤部分にシャッタースピードが上がる方向が示される。
【０２４２】
図１４に示す例は、時計回りの方向に回転操作すると、シャッタースピードが下がり、反時計回りの方向に回転操作すると、シャッタースピードが上がる場合のイメージ画像の一例を示している。
【０２４３】
（７）コマ送りを指示する機能が割り当てられた場合のイメージ画像
図１５は、コマ送りの機能が割り当てられた場合の操作ダイヤルのイメージ画像の一例を示す図である。
【０２４４】
コマ送りの機能が割り当てられた場合、その操作ダイヤルのイメージ画像には、文字盤部分にコマ送りの方向が表示される。すなわち、操作ダイヤルのイメージ画像には、順方向にコマ送りするための回転操作方向及び逆方向にコマ送りするための回転操作方向が表示される。
【０２４５】
図１５に示す例は、反時計回りの方向に回転操作すると、順方向にコマ送りされ（次のコマの画像に表示が切り替えられる）、時計回りの方向に回転操作すると、逆方向にコマ送りされる（一つ前のコマの画像に表示が切り替えられる）場合のイメージ画像の一例を示している。
【０２４６】
また、コマ送りの機能が割り当てられた場合、その操作ダイヤルのイメージ画像は、文字盤部分の中央にコマ番号と、総画像数の情報とが表示される。図１５に示す例では、「コマ番号／総画像数」の形でコマ番号と総画像数の情報を表示する場合の例を示している。
【０２４７】
（８）再生ズームを指示する機能が割り当てられた場合のイメージ画像
図１６は、操作ダイヤルに再生ズームの機能が割り当てられた場合の操作ダイヤルのイメージ画像の一例を示す図である。
【０２４８】
操作ダイヤルに再生ズームの機能が割り当てられた場合、その操作ダイヤルのイメージ画像は、文字盤部分にズームの方向が表示される。すなわち、操作ダイヤルのイメージ画像には、ズームインするための回転操作方向及びズームアウトするための回転操作方向が表示される。
【０２４９】
図１６に示す例は、反時計回りの方向に回転操作すると、ズームイン（拡大）し、時計回りの方向に回転操作すると、ズームアウト（縮小）する場合のイメージ画像の一例を示している。
【０２５０】
また、再生ズームの機能が割り当てられた場合、その操作ダイヤルのイメージ画像は、文字盤部分の中央にズーム倍率の情報が表示される。
【０２５１】
各機能に対応した操作ダイヤルのイメージ画像のデータは、データメモリ６４に記録される。サブディスプレー表示制御部１１６は、データメモリ６４に記録されたデータに基づき、第１リアコマンドダイヤルＤ１のイメージ画像Iｍ１及び第２リアコマンドダイヤルＤ２のイメージ画像Ｉｍ２をサブディスプレー１６に表示する。
【０２５２】
《サブディスプレー表示制御部による表示制御》
上記のように、サブディスプレー１６には、デジタルカメラ１の設定内容と、第１リアコマンドダイヤルＤ１及び第２リアコマンドダイヤルＤ２のイメージ画像とが表示される。
【０２５３】
デジタルカメラ１の設定内容の表示については、設定内容の変化に応じて切り替えられる。すなわち、設定されている撮影モード、シャッタースピード、絞り値、感度又は撮影可能枚数の変化に応じて、その表示が切り替えられる。
【０２５４】
また、第１リアコマンドダイヤルＤ１のイメージ画像Iｍ１及び第２リアコマンドダイヤルＤ２のイメージ画像Ｉｍ２は、第１リアコマンドダイヤルＤ１及び第２リアコマンドダイヤルＤ２に割り当てられる機能が変わることにより切り替えられる。
【０２５５】
また、第１リアコマンドダイヤルＤ１のイメージ画像Iｍ１及び第２リアコマンドダイヤルＤ２のイメージ画像Ｉｍ２は、第１リアコマンドダイヤルＤ１及び第２リアコマンドダイヤルＤ２が回転操作されると、その操作に応じて表示が切り替えられる。具体的には、回転操作されたダイヤルのイメージ画像が拡大して表示される。また、回転操作に連動して表示が回転される。すなわち、実際に回転操作しているように、文字盤の表示が回転する。この際、実際に操作された回転量と同じ回転量で文字盤の表示が回転する。
【０２５６】
以下、サブディスプレー１６の表示形態を第１リアコマンドダイヤルＤ１及び第２リアコマンドダイヤルＤ２の非操作時と操作時とに分けて説明する。
【０２５７】
〈非操作時〉
まず、第１リアコマンドダイヤルＤ１及び第２リアコマンドダイヤルＤ２を操作していない場合のサブディスプレー１６の表示について説明する。
【０２５８】
（１）デジタルカメラの設定内容
デジタルカメラ１の設定内容については、現在設定されている撮影モードの情報ｉ１、現在設定されているシャッタースピードの情報ｉ２、現在設定されている絞り値の情報ｉ３、現在設定されている感度の情報ｉ４、及び、撮影可能枚数の情報ｉ５の各情報が所定位置に表示される。具体的には、図８に示すように、第１リアコマンドダイヤルＤ１のイメージ画像Iｍ１及び第２リアコマンドダイヤルＤ２のイメージ画像Ｉｍ２を表示したときの余白領域Ｍａに一列に並べて表示される。本例の場合、図８において、第１リアコマンドダイヤルＤ１のイメージ画像Iｍ１及び第２リアコマンドダイヤルＤ２のイメージ画像Ｉｍ２の上部領域に余白領域Ｍａが形成されるので、この領域にデジタルカメラ１の設定内容が表示される。
【０２５９】
デジタルカメラ１の設定内容の表示については、設定内容の変化に応じて切り替えられる。すなわち、設定されている撮影モード、シャッタースピード、絞り値、感度又は撮影可能枚数の変化に応じて、その表示が切り替えられる。
【０２６０】
サブディスプレー表示制御部１１６は、デジタルカメラ１の設定内容の情報を取得し、その切り替わりに応じて、サブディスプレー１６の表示を切り替える。
【０２６１】
（２）第１リアコマンドダイヤル及び第２リアコマンドダイヤルのイメージ画像
（Ａ）基本の表示形態
上記のように、第１リアコマンドダイヤルＤ１のイメージ画像Iｍ１及び第２リアコマンドダイヤルＤ２のイメージ画像Ｉｍ２は、実際の第１リアコマンドダイヤルＤ１及び第２リアコマンドダイヤルＤ２と同じ位置に同じサイズで表示される。すなわち、第１リアコマンドダイヤルＤ１のイメージ画像Iｍ１及び第２リアコマンドダイヤルＤ２のイメージ画像Ｉｍ２は、その回転軸が、実際の第１リアコマンドダイヤルＤ１又は第２リアコマンドダイヤルＤ２の回転軸と同軸上に位置し、かつ、その外径が実際の第１リアコマンドダイヤルＤ１及び第２リアコマンドダイヤルＤ２と同じ外径で表示される。
【０２６２】
文字盤部分の画像については、第１リアコマンドダイヤルＤ１及び第２リアコマンドダイヤルＤ２に割り当てられた機能の文字盤画像が表示される。
【０２６３】
また、第１リアコマンドダイヤルＤ１及び第２リアコマンドダイヤルＤ２に割り当てられる機能が、項目を設定する機能の場合、そのダイヤルのイメージ画像には、指標のイメージ画像が併せて表示される。たとえば、第１リアコマンドダイヤルＤ１及び第２リアコマンドダイヤルＤ２に割り当てられる機能が、露出補正値を設定する機能、シャッタースピードを設定する機能、感度を設定する機能、絞り値を設定する機能の場合、指標のイメージ画像が併せて表示される。
【０２６４】
指標は、文字盤に表示された項目を選択する際の目印となるものである。第１リアコマンドダイヤルＤ１のイメージ画像Ｉｍ１には、第１指標のイメージ画像Ｉｎ１が表示され、第２リアコマンドダイヤルＤ２のイメージ画像Ｉｍ２には、第２指標のイメージ画像Ｉｎ２が表示される。
【０２６５】
第１指標のイメージ画像Ｉｎ１は、第１リアコマンドダイヤルＤ１のイメージ画像Ｉｍ１の外周部近傍に配置される。本例では、第１リアコマンドダイヤルＤ１のイメージ画像Ｉｍ１に対して、９時の位置に第１指標のイメージ画像Ｉｎ１が表示される。
【０２６６】
第１リアコマンドダイヤルＤ１のイメージ画像Ｉｍ１は、第１指標のイメージ画像Ｉｎ１の位置に現在設定されている項目が位置するように、文字盤の画像が表示される。たとえば、第１リアコマンドダイヤルＤ１に露出補正値を設定する機能が割り当てられており、±０に設定されている場合を考える。この場合、図８に示すように、第１リアコマンドダイヤルＤ１のイメージ画像Ｉｍ１は、第１指標のイメージ画像Ｉｎ１の位置に「±０」が位置するように文字盤の画像が表示される。
【０２６７】
第２指標のイメージ画像Ｉｎ２は、第２リアコマンドダイヤルＤ２のイメージ画像Ｉｍ２の外周部近傍に配置される。本例では、第２リアコマンドダイヤルＤ２のイメージ画像Ｉｍ２に対して、９時の位置に第２指標のイメージ画像Ｉｎ２が表示される。
【０２６８】
第２リアコマンドダイヤルＤ２のイメージ画像Ｉｍ２は、第２指標のイメージ画像Ｉｎ２の位置に現在設定されている項目が位置するように、文字盤の画像が表示される。たとえば、第２リアコマンドダイヤルＤ２にシャッタースピードを設定する機能が割り当てられており、１／６０秒に設定されている場合を考える。この場合、図８に示すように、第２リアコマンドダイヤルＤ２のイメージ画像Ｉｍ２は、第２指標のイメージ画像Ｉｎ２の位置に「６０」が位置するように文字盤の画像が表示される。
【０２６９】
また、第１リアコマンドダイヤルＤ１のイメージ画像Iｍ１及び第２リアコマンドダイヤルＤ２のイメージ画像Ｉｍ２は、それぞれ設定されている項目のサイズが、他の項目のサイズよりも大きくなるように、文字盤の画像が表示される。たとえば、図８に示す例では、第１リアコマンドダイヤルＤ１のイメージ画像Ｉｍ１は、第１指標のイメージ画像Ｉｎ１の位置の「±０」が他の露出補正値の文字サイズよりも大きなサイズで表示されている。また、第２リアコマンドダイヤルＤ２のイメージ画像Ｉｍ２は、第２指標のイメージ画像Ｉｎ２の位置の「６０」が他のシャッタースピードの文字サイズよりも大きなサイズで表示されている。
【０２７０】
（Ｂ）個別の表示例
（ａ）シャッタースピード優先
撮影モードがシャッタースピード優先に設定された場合、第１リアコマンドダイヤルＤ１には、露出補正値を設定する機能が割り当てられ、第２リアコマンドダイヤルＤ２には、シャッタースピードを設定する機能が割り当てられる。
【０２７１】
この場合、図８に示すように、第１リアコマンドダイヤルＤ１のイメージ画像Ｉｍ１には、露出補正ダイヤルのイメージ画像が表示され、第２リアコマンドダイヤルＤ２には、シャッタースピードダイヤルのイメージ画像が表示される。
【０２７２】
（ｂ）絞り優先
撮影モードが絞り優先に設定された場合、第１リアコマンドダイヤルＤ１には、露出補正値を設定する機能が割り当てられ、第２リアコマンドダイヤルＤ２には、絞り値を設定する機能が割り当てられる。
【０２７３】
図１７は、絞り優先に設定された場合のサブディスプレーの表示の一例を示す平面図である。
【０２７４】
同図に示すように、撮影モードが絞り優先に設定された場合、第１リアコマンドダイヤルＤ１のイメージ画像Ｉｍ１には、露出補正ダイヤルのイメージ画像が表示され、第２リアコマンドダイヤルＤ２には、絞りダイヤルのイメージ画像が表示される。
【０２７５】
（ｃ）マニュアル
撮影モードがマニュアルに設定された場合、第１リアコマンドダイヤルＤ１には、シャッタースピードを設定する機能が割り当てられ、第２リアコマンドダイヤルＤ２には、絞り値を設定する機能が割り当てられる。
【０２７６】
図１８は、マニュアルに設定された場合のサブディスプレーの表示の一例を示す平面図である。
【０２７７】
同図に示すように、撮影モードがマニュアルに設定された場合、第１リアコマンドダイヤルＤ１のイメージ画像Ｉｍ１には、シャッタースピードダイヤルのイメージ画像が表示され、第２リアコマンドダイヤルＤ２には、絞りダイヤルのイメージ画像が表示される。
【０２７８】
（ｄ）プログラム
撮影モードがプログラムに設定された場合、第１リアコマンドダイヤルＤ１には、露出補正値を設定する機能が割り当てられ、第２リアコマンドダイヤルＤ２には、プログラムシフトの機能が割り当てられる。
【０２７９】
図１９は、プログラムに設定された場合のサブディスプレーの表示の一例を示す平面図である。
【０２８０】
同図に示すように、撮影モードがプログラムに設定された場合、第１リアコマンドダイヤルＤ１のイメージ画像Ｉｍ１には、露出補正ダイヤルのイメージ画像が表示され、第２リアコマンドダイヤルＤ２には、プログラムシフト用のイメージ画像が表示される。
【０２８１】
（ｄ）感度及びモードの設定
デジタルカメラ１が撮影モードに設定された状態において、第１リアコマンドダイヤルＤ１が押込み操作されると、第１リアコマンドダイヤルＤ１には、撮影モードを選択する機能が割り当てられる。また、デジタルカメラ１が撮影モードに設定された状態において、第２リアコマンドダイヤルＤ２が押込み操作されると、第２リアコマンドダイヤルＤ２には、感度を設定する機能が割り当てられる。
【０２８２】
図２０は、シャッタースピード優先に設定された状態において、第１リアコマンドダイヤル及び第２リアコマンドダイヤルが押込み操作された場合のサブディスプレーの表示の一例を示す平面図である。
【０２８３】
第１リアコマンドダイヤルＤ１に撮影モードを選択する機能が割り当てられると、第１リアコマンドダイヤルＤ１のイメージ画像Ｉｍ１には、モードダイヤルのイメージ画像が表示される。また、第２リアコマンドダイヤルＤ２に感度を設定する機能が割り当てられると、第２リアコマンドダイヤルＤ２のイメージ画像Ｉｍ２には、感度ダイヤルのイメージ画像が表示される。
【０２８４】
（ｅ）再生モード
デジタルカメラ１のモードが、再生モードに設定されると、第１リアコマンドダイヤルＤ１には、コマ送りを指示する機能が割り当てられ、第２リアコマンドダイヤルＤ２には、再生ズームを指示する機能が割り当てられる。
【０２８５】
図２１は、再生モードに設定された場合のサブディスプレーの表示の一例を示す平面図である。
【０２８６】
同図に示すように、第１リアコマンドダイヤルＤ１にコマ送りを指示する機能が割り当てられると、第１リアコマンドダイヤルＤ１のイメージ画像Ｉｍ１には、コマ送り用のイメージ画像が表示される。また、第２リアコマンドダイヤルＤ２に再生ズームを指示する機能が割り当てられると、第２リアコマンドダイヤルＤ２のイメージ画像Ｉｍ２には、再生ズーム用のイメージ画像が表示される。
【０２８７】
〈操作時〉
次に、第１リアコマンドダイヤルＤ１及び第２リアコマンドダイヤルＤ２を操作した場合のサブディスプレー１６の表示について説明する。
【０２８８】
上記のように、第１リアコマンドダイヤルＤ１及び第２リアコマンドダイヤルＤ２が回転操作されると、回転操作されたダイヤルのイメージ画像が拡大され、かつ、操作に連動して表示が回転される。
【０２８９】
（１）操作方法
まず、第１リアコマンドダイヤルＤ１及び第２リアコマンドダイヤルＤ２を用いた操作（設定方法）について説明する。
【０２９０】
上記のように、第１リアコマンドダイヤルＤ１及び第２リアコマンドダイヤルＤ２には、露出補正、シャッタースピードの設定、絞り値の設定、感度の設定、プログラムシフト、撮影モードの選択、コマ送りの指示、再生ズームの指示等ができる。以下、各機能の操作方法を個別に説明する。
【０２９１】
（ａ）露出補正
露出補正は、露出補正値を設定する機能が割り当てられた操作ダイヤルを回転操作して行う。たとえば、撮影モードがシャッタースピード優先に設定されている場合、第１リアコマンドダイヤルＤ１に露出補正値を設定する機能が割り当てられる。したがって、この場合、第１リアコマンドダイヤルＤ１を回転操作すると、露出補正値を設定できる。
【０２９２】
露出補正値は、１クリックごとに１／３段変化する。第１リアコマンドダイヤルＤ１に露出補正値を設定する機能が割り当てられている場合、第１リアコマンドダイヤルＤ１を時計回りに１クリック分回転させると、露出補正値が１／３段繰り下がって設定される。一方、第１リアコマンドダイヤルＤ１を反時計回りに１クリック分回転させると、露出補正値が１／３段繰り上がって設定される。たとえば、現在の露出補正値が±０の場合、第１リアコマンドダイヤルＤ１を時計回りに１クリック分回転させると、露出補正値が−１／３に設定され、反時計回りに１クリック分回転させると、露出補正値が＋１／３に設定される。
【０２９３】
ダイヤルの回転操作に連動して、サブディスプレー１６の表示が切り替わる。この表示形態については、後述する。
【０２９４】
（ｂ）シャッタースピードの設定
シャッタースピードは、シャッタースピードを設定する機能が割り当てられた操作ダイヤルを回転操作して設定する。たとえば、撮影モードがシャッタースピード優先に設定されている場合、第２リアコマンドダイヤルＤ２にシャッタースピードを設定する機能が割り当てられる。したがって、この場合、第２リアコマンドダイヤルＤ２を回転操作すると、シャッタースピードを設定できる。
【０２９５】
シャッタースピードは、１クリックごとに１段変化する。第２リアコマンドダイヤルＤ２にシャッタースピードを設定する機能が割り当てられている場合、第２リアコマンドダイヤルＤ２を時計回りに１クリック分回転させると、シャッタースピードが１段繰り下がって設定される。一方、第２リアコマンドダイヤルＤ２を反時計回りに１クリック分回転させると、シャッタースピードが１段繰り上がって設定される。たとえば、現在のシャッタースピードが１／６０秒の場合、第２リアコマンドダイヤルＤ２を時計回りに１クリック分回転させると、シャッタースピードが１／３０秒に設定され、反時計回りに１クリック分回転させると、シャッタースピードが１／１２５秒に設定される。
【０２９６】
ダイヤルの回転操作に連動して、サブディスプレー１６の表示が切り替わる。この表示形態については、後述する。
【０２９７】
（ｃ）絞り値の設定
絞り値は、絞り値を設定する機能が割り当てられた操作ダイヤルを回転操作して設定する。たとえば、撮影モードが絞り優先に設定されている場合、第２リアコマンドダイヤルＤ２に絞り値を設定する機能が割り当てられる。したがって、この場合、第２リアコマンドダイヤルＤ２を回転操作すると、絞り値を設定できる。
【０２９８】
絞り値は、１クリックごとに１段変化する。第２リアコマンドダイヤルＤ２に絞り値を設定する機能が割り当てられている場合、第２リアコマンドダイヤルＤ２を時計回りに１クリック分回転させると、絞り値が１段繰り下がって設定される。一方、第２リアコマンドダイヤルＤ２を反時計回りに１クリック分回転させると、絞り値が１段繰り上がって設定される。たとえば、現在の絞り値がＦ２の場合、第２リアコマンドダイヤルＤ２を時計回りに１クリック分回転させると、絞り値がＦ１．４に設定され、反時計回りに１クリック分回転させると、絞り値がＦ２．８に設定される。
【０２９９】
ダイヤルの回転操作に連動して、サブディスプレー１６の表示が切り替わる。この表示形態については、後述する。
【０３００】
（ｄ）プログラムシフト
プログラムシフトの指示は、プログラムシフトの機能が割り当てられた操作ダイヤルを回転操作して行う。たとえば、撮影モードがプログラムに設定されている場合、第２リアコマンドダイヤルＤ２にプログラムシフトの機能が割り当てられる。したがって、この場合、第２リアコマンドダイヤルＤ２を回転操作すると、プログラムシフトを指示できる。
【０３０１】
プログラムシフトは、１クリックごとに１段変化する。第２リアコマンドダイヤルＤ２にプログラムシフトの機能が割り当てられている場合、第２リアコマンドダイヤルＤ２を時計回りに１クリック分回転させると、シャッタースピードが１段繰り上がって設定される（絞り値が１段繰り下がって設定される）。一方、第２リアコマンドダイヤルＤ２を反時計回りに１クリック分回転させると、シャッタースピードが１段繰り下がって設定される（絞り値が１段繰り上がって設定される）。たとえば、現在のシャッタースピード１／６０秒の場合、第２リアコマンドダイヤルＤ２を時計回りに１クリック分回転させると、シャッタースピードが１／３０秒に設定され、反時計回りに１クリック分回転させると、シャッタースピードが１／１２５秒に設定される。
【０３０２】
ダイヤルの回転操作に連動して、サブディスプレー１６の表示が切り替わる。この表示形態については、後述する。
【０３０３】
（ｅ）感度の設定
感度は、感度を設定する機能が割り当てられた操作ダイヤルを回転操作して設定する。たとえば、シャッタースピード優先に設定されている場合において、第２リアコマンドダイヤルＤ２を押込み操作すると、第２リアコマンドダイヤルＤ２に感度を設定する機能が割り当てられる。したがって、この場合、第２リアコマンドダイヤルＤ２を回転操作すると、感度を設定できる。
【０３０４】
感度は、１クリックごとに１段変化する。第２リアコマンドダイヤルＤ２に感度を設定する機能が割り当てられている場合、第２リアコマンドダイヤルＤ２を時計回りに１クリック分回転させると、感度が１段繰り下がって設定される。一方、第２リアコマンドダイヤルＤ２を反時計回りに１クリック分回転させると、感度が１段繰り上がって設定される。たとえば、現在の感度がＩＳＯ４００の場合、第２リアコマンドダイヤルＤ２を時計回りに１クリック分回転させると、感度がＩＳＯ２００に設定され、反時計回りに１クリック分回転させると、感度がＩＳＯ８００に設定される。
【０３０５】
ダイヤルの回転操作に連動して、サブディスプレー１６の表示が切り替わる。この表示形態については、後述する。
【０３０６】
第２リアコマンドダイヤルＤ２に感度を設定する機能が割り当てられた場合、第２リアコマンドダイヤルＤ２を押込み操作すると、元の機能に復帰する。したがって、元の機能が、シャッタースピードを設定する機能の場合、第２リアコマンドダイヤルＤ２を押込み操作すると、シャッタースピードを設定する機能に復帰する。
【０３０７】
（ｆ）撮影モードの設定
撮影モードは、撮影モードを設定する機能が割り当てられた操作ダイヤルを回転操作して設定する。たとえば、シャッタースピード優先に設定されている場合において、第１リアコマンドダイヤルＤ１を押込み操作すると、第１リアコマンドダイヤルＤ１に撮影モードを設定する機能が割り当てられる。したがって、この場合、第１リアコマンドダイヤルＤ１を回転操作すると、撮影モードを設定できる。
【０３０８】
撮影モードは、プログラム（Ｐ）、シャッタースピード優先（Ｓ）、絞り優先（Ａ）、マニュアル（Ｍ）の順で切り替わり、１クリックごとに切り替わる。第１リアコマンドダイヤルＤ１に撮影モードを設定する機能が割り当てられている場合、第１リアコマンドダイヤルＤ１を時計回りに１クリック分回転させると、１つ前の撮影モードに設定される。一方、第１リアコマンドダイヤルＤ１を反時計回りに１クリック分回転させると、次の撮影モードに設定される。たとえば、現在の撮影モードが、シャッタースピード優先（Ｓ）の場合、第１リアコマンドダイヤルＤ１を時計回りに１クリック分回転させると、プログラム（Ｐ）に設定され、反時計回りに１クリック分回転させると、絞り優先（Ａ）に設定される。
【０３０９】
ダイヤルの回転操作に連動して、サブディスプレー１６の表示が切り替わる。この表示形態については、後述する。
【０３１０】
第１リアコマンドダイヤルＤ１に撮影モードを設定する機能が割り当てられた場合、第１リアコマンドダイヤルＤ１を押込み操作すると、撮影モードの切り替えが確定する。この場合、新たに設定された撮影モードに応じた機能が、第１リアコマンドダイヤルＤ１及び第２リアコマンドダイヤルＤ２に割り当てられる。
【０３１１】
（ｇ）コマ送り
コマ送りは、コマ送りを指示する機能が割り当てられた操作ダイヤルを回転操作して設定する。上記のように、再生モードに設定されると、第１リアコマンドダイヤルＤ１にコマ送りを指示する機能が割り当てられる。したがって、この場合、第１リアコマンドダイヤルＤ１を回転操作すると、コマ送りを指示できる。第１リアコマンドダイヤルＤ１が時計回りに１クリック分回されると、１つ前のコマに戻され、反時計回りに１クリック分回されると、次のコマに送られる。
【０３１２】
（ｈ）再生ズーム
再生ズームは、再生ズームを指示する機能が割り当てられた操作ダイヤルを回転操作して設定する。上記のように、再生モードに設定されると、第２リアコマンドダイヤルＤ２に再生ズームを指示する機能が割り当てられる。したがって、この場合、第２リアコマンドダイヤルＤ２を回転操作すると、再生ズームを指示できる。第２リアコマンドダイヤルＤ２が時計回りに回転されると、ズームアウト（縮小）が指示され、反時計回りに回転されると、ズームイン（拡大）が指示される。ズームイン及びズームアウトは、一定のズーム倍率で実施される。第２リアコマンドダイヤルＤ２が１クリック回転されるたびに、再生中の画像が一定のズーム倍率で段階的にズームイン又はズームアウトされる。
【０３１３】
（２）操作に連動した表示
上記のように、第１リアコマンドダイヤルＤ１のイメージ画像Iｍ１及び第２リアコマンドダイヤルＤ２のイメージ画像Ｉｍ２は、第１リアコマンドダイヤルＤ１及び第２リアコマンドダイヤルＤ２の操作に連動して変化する。具体的には、回転操作されたダイヤルのイメージ画像が拡大して表示され、かつ、操作に連動して表示が回転される。たとえば、第１リアコマンドダイヤルＤ１が回転操作されると、第１リアコマンドダイヤルＤ１のイメージ画像Ｉｍ１が拡大して表示され、かつ、その回転操作に連動して表示が回転される。同様に、第２リアコマンドダイヤルＤ２が回転操作されると、第２リアコマンドダイヤルＤ２のイメージ画像Ｉｍ２が拡大して表示され、かつ、その回転操作に連動して表示が回転される。
【０３１４】
図２２は、第２リアコマンドダイヤルを回転操作した場合のサブディスプレーの表示の一例を示す平面図である。特に、同図は、シャッタースピード優先に設定されている場合において、第２リアコマンドダイヤルＤ２が回転操作された場合のサブディスプレー１６の表示状態を示している。
【０３１５】
同図に示すように、第２リアコマンドダイヤルＤ２が回転操作されると、第２リアコマンドダイヤルＤ２のイメージ画像Ｉｍ２が拡大して表示される。
【０３１６】
この際、イメージ画像Ｉｍ２は、回転軸を中心に拡大する。すなわち、イメージ画像Ｉｍ２は、中心は一定として、外径が拡大する。ここで、第２リアコマンドダイヤルＤ２のイメージ画像Ｉｍ２は、実際の第２リアコマンドダイヤルＤ２と同軸上に表示されているので、第２リアコマンドダイヤルＤ２のイメージ画像Ｉｍ２は、実際の第２リアコマンドダイヤルＤ２の回転軸ａ２を中心して拡大する。
【０３１７】
また、第２リアコマンドダイヤルＤ２のイメージ画像Ｉｍ２は、第１リアコマンドダイヤルＤ１のイメージ画像Ｉｍ１に干渉しない範囲で拡大される。
【０３１８】
また、第２リアコマンドダイヤルＤ２が回転操作されると、その回転操作に連動して、回転操作された方向に第２リアコマンドダイヤルＤ２のイメージ画像Ｉｍ２が回転する。たとえば、第２リアコマンドダイヤルＤ２が時計回りに回転操作された場合は、時計回りに回転し、反時計回りに回転操作された場合は、反時計回りに回転する。
【０３１９】
回転は回転軸を中心にして行われる。第２リアコマンドダイヤルＤ２のイメージ画像Ｉｍ２は、実際の第２リアコマンドダイヤルＤ２と同軸上に表示されているので、第２リアコマンドダイヤルＤ２のイメージ画像Ｉｍ２は、実際の第２リアコマンドダイヤルＤ２の回転軸ａ２を中心して回転する。
【０３２０】
すなわち、第２リアコマンドダイヤルＤ２のイメージ画像Ｉｍ２は、第２リアコマンドダイヤルＤ２が回転操作されると、実際の第２リアコマンドダイヤルＤ２の回転軸ａ２を中心に拡大し、かつ、実際の第２リアコマンドダイヤルＤ２の回転軸ａ２を中心にして操作された方向に回転する。この際、実際に操作された回転量と同じ回転量でイメージ画像Ｉｍ２が回転する。これにより、操作と表示が一致し、良好な操作感を提供できる。
【０３２１】
第１リアコマンドダイヤルＤ１が回転操作された場合も同様である。すなわち、第１リアコマンドダイヤルＤ１が回転操作されると、実際の第１リアコマンドダイヤルＤ１の回転軸ａ１を中心にして、イメージ画像Ｉｍ１が拡大し、かつ、実際の第１リアコマンドダイヤルＤ１の回転軸ａ１を中心にして操作された方向に回転する。
【０３２２】
なお、選択された項目、すなわち、指標で指し示された項目は、他の項目よりも大きく表示されるが、この選択された項目の拡大処理も回転に連動して行われる。たとえば、指標の位置に位置すると、項目の表示が拡大し、指標の位置からズレると、項目が通常のサイズに縮小する。あるいは、指標の位置に近づくにつれて徐々に表示が拡大し、指標の位置から離れるにしたがって徐々に元のサイズに縮小する。
【０３２３】
サブディスプレー表示制御部１１６は、第１リアコマンドダイヤルＤ１及び第２リアコマンドダイヤルＤ２の回転操作情報を取得して、サブディスプレー１６の表示を制御する。
【０３２４】
なお、イメージ画像が回転するのは、シャッタースピードを設定する機能、絞り値を設定する機能、露出補正値を設定する機能、感度を設定する機能が割り当てられている場合だけである。すなわち、イメージ画像が回転するのは、文字盤に表示された項目を選択する場合だけである。プログラムシフトの機能、再生ズームの機能、コマ送りの機能等、操作に応じて指示する機能が割り当てられている場合、操作されてもイメージ画像は回転しない。この場合、拡大するだけである。
【０３２５】
（３）第１リアコマンドダイヤル及び第２リアコマンドダイヤルが操作された場合のイメージ画像の表示制御
図２３は、第１リアコマンドダイヤル及び第２リアコマンドダイヤルが操作された場合のイメージ画像の表示制御の処理手順を示すフローチャートである。
【０３２６】
サブディスプレー表示制御部１１６は、第１回転操作検出部１２４及び第２回転操作検出部１２６からの出力に基づいて、第１リアコマンドダイヤルＤ１又は第２リアコマンドダイヤルＤ２が操作されたか否かを判定する（ステップＳ１）。
【０３２７】
操作が検出されると、その操作が第１リアコマンドダイヤルＤ１によるものか否かを判定する（ステップＳ２）。
【０３２８】
第１リアコマンドダイヤルＤ１が回転操作された場合は、第１リアコマンドダイヤルＤ１のイメージ画像Ｉｍ１を拡大させる（ステップＳ３）。そして、回転が検出された方向に第１リアコマンドダイヤルＤ１のイメージ画像Ｉｍ１を回転させる（ステップＳ４）。この回転は、操作に連動して行われる。
【０３２９】
この後、サブディスプレー表示制御部１１６は、第１回転操作検出部１２４からの出力に基づいて、第１リアコマンドダイヤルＤ１の回転操作が終了したか否かを判定する（ステップＳ５）。回転操作が終了した場合は、第１リアコマンドダイヤルＤ１のイメージ画像Ｉｍ１の回転を停止させる（ステップＳ６）。この後、操作終了から一定時間が経過したか否かを判定する（ステップＳ７）。操作終了から一定時間が経過したと判定すると、拡大させていた第１リアコマンドダイヤルＤ１のイメージ画像Ｉｍ１を元のサイズに縮小させる（ステップＳ８）。
【０３３０】
この後、デジタルカメラ１の電源がオフされたか否かを判定する（ステップＳ９）。デジタルカメラ１の電源がオフされた場合は、処理を終了する。一方、デジタルカメラ１の電源がオフされていない場合は、ステップＳ１に戻り、処理を継続する。
【０３３１】
ステップＳ２において、操作が第１リアコマンドダイヤルＤ１によるものではないと判定すると、サブディスプレー表示制御部１１６は、第２リアコマンドダイヤルＤ２のイメージ画像Ｉｍ２を拡大させる（ステップＳ１０）。そして、回転が検出された方向に第２リアコマンドダイヤルＤ２のイメージ画像Ｉｍ２を回転させる（ステップＳ１１）。この回転は、操作に連動して行われる。
【０３３２】
この後、サブディスプレー表示制御部１１６は、第２回転操作検出部１２６からの出力に基づいて、第２リアコマンドダイヤルＤ２の回転操作が終了したか否かを判定する（ステップＳ１２）。回転操作が終了した場合は、第２リアコマンドダイヤルＤ２のイメージ画像Ｉｍ２の回転を停止させる（ステップＳ１３）。この後、操作終了から一定時間が経過したか否かを判定する（ステップＳ１４）。操作終了から一定時間が経過したと判定すると、拡大させていた第２リアコマンドダイヤルＤ２のイメージ画像Ｉｍ２を元のサイズに縮小させる（ステップＳ１５）。
【０３３３】
この後、デジタルカメラ１の電源がオフされたか否かを判定する（ステップＳ９）。デジタルカメラ１の電源がオフされた場合は、処理を終了する。一方、デジタルカメラ１の電源がオフされていない場合は、ステップＳ１に戻り、処理を継続する。
【０３３４】
［デジタルカメラの作用効果］
以上説明したように、本実施の形態のデジタルカメラ１によれば、カメラボディ１０の天面に備えられたサブディスプレー１６にカメラの設定内容、並びに、第１リアコマンドダイヤルＤ１のイメージ画像Iｍ１及び第２リアコマンドダイヤルＤ２のイメージ画像Ｉｍ２が表示される。これにより、実際にカメラボディ１０の天面に操作ダイヤルが備えられているように見せることができる。操作ダイヤルを用いた操作系は、直感的かつ視覚的な操作を実現できるので、簡単な操作系を提供できる。
【０３３５】
また、本実施の形態のデジタルカメラ１によれば、第１リアコマンドダイヤルＤ１及び第２リアコマンドダイヤルＤ２を回転操作すると、操作されたダイヤルのイメージ画像が拡大して表示され、かつ、操作した方向に回転して表示される。これにより、実際に操作している場合と同様の操作感を提供できる。また、操作されたダイヤルが拡大して表示されることにより、サブディスプレー１６の表示と実際の操作ダイヤルの関係を明確にでき、より分かりやすい操作系を提供できる。また、表示が拡大されることにより、文字盤の数値等も見やすくできる。さらに、実際の操作ダイヤルについては、小型のものを使用できるので、複数の操作ダイヤルを使用した場合であっても、設置スペースを取ることがない。これにより、全体をコンパクト化できる。
【０３３６】
特に、本実施の形態のデジタルカメラ１によれば、実際の操作ダイヤルのイメージ画像が表示部に表示され、視覚効果を利用して、2つの間の関係性を表したり、操作の状態を表したり、見易さの工夫をしている。これにより、何をどう変更しているのかが直感的にわかりやすい、というダイヤル操作によるメリットと、設定値の表示を拡大して、設定値を見やすくできる、という表示部を利用した操作のメリットの両立が可能となり、従来にない優れた操作性を実現できる。なお、操作ダイヤルと表示部の両方を設けただけでは、表示とダイヤルの位置関係が分かりにくく、表示の大きさや位置に工夫が無ければ、視認性と分かりやすさの両立はできない。
【０３３７】
［変形例］
《操作時の表示形態の変形例》
上記実施の形態では、操作されたダイヤルのイメージ画像を拡大する際、操作されていないダイヤルのイメージ画像に干渉しないように拡大させているが、操作されたダイヤルのイメージ画像を拡大させる際の表示形態は、これに限定されるものではない。以下、拡大時の表示態様の変形例について説明する。
【０３３８】
（１）重ねて表示する態様
図２４は、イメージ画像を拡大させる場合のサブディスプレーの表示の変形例を示す平面図である。特に、同図は、シャッタースピード優先に設定されている場合において、第２リアコマンドダイヤルＤ２が回転操作された場合のサブディスプレー１６の表示状態を示している。
【０３３９】
同図に示すように、操作されたダイヤルのイメージ画像を拡大する際、操作されていない方のダイヤルのイメージ画像の上に重ねて表示させてもよい。同図に示す例では、操作されていない方のダイヤルである第１リアコマンドダイヤルＤ１のイメージ画像Ｉｍ１の上に重ねて第２リアコマンドダイヤルＤ２のイメージ画像Ｉｍ２を表示している。
【０３４０】
このように、操作されたダイヤルのイメージ画像を拡大する際、操作されていない方のダイヤルのイメージ画像の上に重ねて表示することにより、可能な限り大きく表示できる。これにより、文字盤の画像をより見やすくできる。
【０３４１】
（２）切り欠いて表示する態様
図２５は、イメージ画像を拡大させる場合のサブディスプレーの表示の変形例を示す平面図である。特に、同図は、シャッタースピード優先に設定されている場合において、第２リアコマンドダイヤルＤ２が回転操作された場合のサブディスプレー１６の表示状態を示している。
【０３４２】
同図に示すように、操作されたダイヤルのイメージ画像を拡大する際、操作されていない方のダイヤルのイメージ画像の一部を切り欠いて表示させてもよい。同図に示す例では、操作されていない方のダイヤルである第１リアコマンドダイヤルＤ１のイメージ画像Ｉｍ１の一部を切り欠いて、第２リアコマンドダイヤルＤ２のイメージ画像Ｉｍ２を表示している。切り欠く部分は、第２リアコマンドダイヤルＤ２のイメージ画像Ｉｍ２の表示が重なる部分である。
【０３４３】
なお、図２５に示す例は、切欠きの一例であり、切欠きの態様は、これに限定されるものではない。
【０３４４】
（３）操作されていない方のダイヤルのイメージ画像を退避させる態様
図２６は、イメージ画像を拡大させる場合のサブディスプレーの表示の変形例を示す平面図である。特に、同図は、シャッタースピード優先に設定されている場合において、第２リアコマンドダイヤルＤ２が回転操作された場合のサブディスプレー１６の表示状態を示している。
【０３４５】
同図に示すように、操作されたダイヤルのイメージ画像を拡大する際、操作されていない方のダイヤルのイメージ画像を重ならない位置に退避させてもよい。同図に示す例では、操作されていない方のダイヤルである第１リアコマンドダイヤルＤ１のイメージ画像Ｉｍ１を退避させて、第２リアコマンドダイヤルＤ２のイメージ画像Ｉｍ２を表示している。特に同図に示す例では、カメラボディ１０から露出した第１リアコマンドダイヤルＤ１の方向に退避させる場合を示している。この方向は、第１リアコマンドダイヤルＤ１を押込み操作する際の操作方向と逆の方向である。すなわち、操作されていない方のダイヤルのイメージ画像を押し込み方向と逆の方向に退避させている。
【０３４６】
なお、図２６に示すように、一部のみを残して表示することにより、ユーザーが第１リアコマンドダイヤルＤ１の存在を認識でき、操作系の把握を容易にできる。
【０３４７】
また、退避させる際に実際の操作ダイヤルの方向にダイヤルのイメージ画像を退避させることにより、その操作ダイヤルとダイヤルのイメージ画像との関連性を明確にでき、操作性をより向上させることができる。
【０３４８】
図２７は、操作されていない方のダイヤルのイメージ画像を退避させる場合のサブディスプレーの表示の他の一例を示す平面図である。
【０３４９】
同図に示す例では、操作されていない方のダイヤルのイメージ画像を横方向にスライドさせて退避させる場合の例が示されている。
【０３５０】
（４）イメージ画像の内部に現在の設定値を表示する態様
図２８は、イメージ画像を拡大させる場合のサブディスプレーの表示の変形例を示す平面図である。特に、同図は、シャッタースピード優先に設定されている場合において、第２リアコマンドダイヤルＤ２が回転操作された場合のサブディスプレー１６の表示状態を示している。
【０３５１】
同図に示すように、操作されたダイヤルのイメージ画像を拡大する際、そのイメージ画像の内部に現在の設定値を表示させてもよい。すなわち、操作されたダイヤルのイメージ画像を拡大する際、そのイメージ画像の内部に指標の位置に合わせた設定値を表示してもよい。図２８には、シャッタースピードを１／２５０秒に設定した場合の例が示されている。特に同図に示す例では、サブディスプレー１６に表示したイメージ画像Ｉｍ２の内側に枠ｆｒ２を表示し、その枠ｆｒ２の内側に現在の設定値を拡大して表示している。これにより、余白領域を有効に活用でき、更に見やすい表示にできる。
【０３５２】
なお、本例の場合、ダイヤルを回転操作した場合であっても、枠及び枠内の設定値の表示は非回転とされる。
【０３５３】
（５）文字盤に現在の設定値を表示する態様
図２９は、イメージ画像を拡大させる場合のサブディスプレーの表示の変形例を示す平面図である。特に、同図は、シャッタースピード優先に設定されている場合において、第２リアコマンドダイヤルＤ２が回転操作された場合のサブディスプレー１６の表示状態を示している。
【０３５４】
同図に示すように、操作されたダイヤルのイメージ画像を拡大する際、そのイメージ画像の内部に現在の設定値のみを表示させてもよい。すなわち、文字盤の表示を現在の設定値の表示に切り替えてもよい。図２９には、現在のシャッタースピードの設定が、１／２５０秒の場合の例が示されている。
【０３５５】
なお、本例の場合、ダイヤルを回転操作した場合であっても、設定値の表示は非回転とされる。また、本例の場合、操作したダイヤルの指標のイメージ画像は消去される。
【０３５６】
（６）回転を明確にする表示態様
図３０は、イメージ画像を拡大させる場合のサブディスプレーの表示の変形例を示す平面図である。特に、同図は、シャッタースピード優先に設定されている場合において、第２リアコマンドダイヤルＤ２が回転操作された場合のサブディスプレー１６の表示状態を示している。
【０３５７】
同図に示すように、各ダイヤルのイメージ画像Ｉｍ１及びＩｍ２の外周部分には、実際のダイヤルの外周面に施される溝を模した模様ｇ１及びｇ２が表示される。特に、同図に示す例では、外周部に一定ピッチで溝を示す線を表示している。
【０３５８】
このような模様ｇ１及びｇ２を外周部分に表示することにより、ダイヤルのイメージ画像Ｉｍ１又はＩｍ２を回転させた際、その動きを明確にできる。すなわち、イメージ画像Ｉｍ２を回転させると、外周部分の模様ｇ２がアニメーションとして動くので、回転していることを明確にできる。これにより、視認性を向上でき、より良好な操作性を確保できる。特に、同図に示す例のように、イメージ画像Ｉｍ２の文字盤部分に現在の設定値のみを表示する場合には有効に作用する。
【０３５９】
なお、イメージ画像の回転を明確にする表示態様は、これに限定されるものではない。この他、たとえば、ダイヤルのイメージ画像の外周部分に連続する凹凸形状の模様を表示したり、一定ピッチでドットを表示したりすることでも、回転する動きを明確にできる。
【０３６０】
（７）その他の表示態様
以上の他、操作された操作ダイヤルのイメージ画像の明るさ又は色を変更してもよい。これにより、表示部の表示と、実際に操作している操作ダイヤルとの関連性を明確にできる。この場合、必ずしもイメージ画像を拡大させる必要はない。
【０３６１】
《設定内容の表示形態の変形例》
デジタルカメラ１の設定内容については、必要に応じて表示サイズを縮小させたり、表示位置をずらしたり、表示レイアウトを変更したり、表示する内容を変更したりすることが好ましい。
【０３６２】
たとえば、図２４及び図２５に示す例では、イメージ画像を拡大する処理に連動して、デジタルカメラ１の設定内容の表示サイズ、位置及びレイアウトを変更している。すなわち、表示サイズを縮小し、イメージ画像の表示に干渉しない位置に表示している。
【０３６３】
また、図２６に示す例では、イメージ画像を拡大する処理に連動して、デジタルカメラ１の設定内容の表示位置及びレイアウトを変更している。すなわち、イメージ画像を拡大する処理に連動して、デジタルカメラ１の設定内容の表示位置をイメージ画像の表示に干渉しない位置にずらして表示している。
【０３６４】
また、図２７に示す例では、イメージ画像を拡大する処理に連動して、デジタルカメラ１の設定内容の表示内容、表示位置及びレイアウトを変更している。すなわち、イメージ画像を拡大する処理に連動して、表示する項目を減らし、かつ、表示位置をイメージ画像の表示に干渉しない位置にずらして表示している。
【０３６５】
このように、デジタルカメラ１の設定内容については、必要に応じて表示サイズを縮小させたり、表示位置をずらしたり、表示レイアウトを変更したり、表示する内容を変更したりすることにより、イメージ画像との干渉を防止できる。
【０３６６】
なお、ダイヤルのイメージ画像Ｉｍ１及びＩｍ２については、設定が確認できればよい。したがって、設定が確認できる場合は、ダイヤルのイメージ画像Ｉｍ１又はＩｍ２とデジタルカメラ１の設定内容とを重ねて表示してもよい。
【０３６７】
図３１は、デジタルカメラの設定内容をダイヤルのイメージ画像に重ねて表示する場合のサブディスプレーの表示の一例を示す平面図である。
【０３６８】
同図に示すように、ダイヤルのイメージ画像を拡大した場合であっても、画面上で設定を確認できる場合は、デジタルカメラ１の設定内容をイメージ画像Ｉｍ２に重ねて表示してもよい。画面上で設定を確認できるか否かは、指標のイメージ画像との関係で定められる。指標のイメージ画像が指し示す数値に重ならない限り、画面上でダイヤルの設定値を確認できる。
【０３６９】
なお、ダイヤルのイメージ画像を拡大した場合にデジタルカメラ１の設定内容の表示と重なる場合は、相互の表示色を変えてもよい。すなわち、ダイヤルのイメージ画像と設定内容とを異なる色で表示する。
【０３７０】
図３２は、デジタルカメラの設定内容とダイヤルのイメージ画像とを異なる色で表示する場合のサブディスプレーの表示の一例を示す平面図である。
【０３７１】
同図に示すように、第１リアコマンドダイヤルＤ１のイメージ画像Iｍ１及び第２リアコマンドダイヤルＤ２のイメージ画像Ｉｍ２と、デジタルカメラ１の設定内容の情報ｉ１〜ｉ５を異なる色で表示する。これにより、ダイヤルのイメージ画像とデジタルカメラの設定内容の情報ｉ１〜ｉ５とが重なって表示される場合であっても、表示を見やすくできる。
【０３７２】
なお、ダイヤルのイメージ画像を拡大した場合にのみ色を変えるようにしてもよい。
【０３７３】
また、ダイヤルのイメージ画像とデジタルカメラの設定内容とを重ねて表示する場合において、画面上でダイヤルの設定を確認できる場合は、設定内容をイメージ画像の上に重ねて表示することが好ましい。この場合、設定内容の表示領域に背景を設定して、設定内容を表示することが好ましい。
【０３７４】
図３３は、デジタルカメラの設定内容の表示領域に背景を設定して表示する場合のサブディスプレーの表示の一例を示す平面図である。
【０３７５】
同図に示す例では、デジタルカメラの設定内容の情報ｉ１〜ｉ５を表示する帯状の領域ｉｚに無地の背景を設定し、ダイヤルのイメージ画像Ｉｍ１又はＩｍ２の上に重ねて表示している（いわゆるレイヤー表示）。これにより、デジタルカメラの設定をより見やすくできる。
【０３７６】
また、ダイヤルのイメージ画像を拡大した場合にデジタルカメラの設定内容の表示と重なって設定内容の表示が見づらくなる場合は、重なって見づらくなる情報の表示位置のみを変更してもよい。
【０３７７】
図３４は、ダイヤルのイメージ画像を拡大した場合にデジタルカメラの設定内容の表示レイアウトを変更する場合のサブディスプレーの表示の一例を示す平面図である。同図には、感度の情報ｉ４、及び、撮影可能枚数の情報ｉ５の表示位置を変更した場合の例が示されている。
【０３７８】
第２リアコマンドダイヤルＤ２のイメージ画像Ｉｍ２を拡大すると、その線画部分の一部が感度の情報ｉ４、及び、撮影可能枚数の情報ｉ５と重なり、感度の情報ｉ４、及び、撮影可能枚数の情報ｉ５が見づらくなる（図３１参照）。
【０３７９】
そこで、感度の情報ｉ４、及び、撮影可能枚数の情報ｉ５をイメージ画像Ｉｍ１及びＩｍ２の線画部分の表示と重ならない位置にずらして表示する。特に、図３４に示す例では、拡大した第２リアコマンドダイヤルＤ２のイメージ画像Ｉｍ２の内部に感度の情報ｉ４、及び、撮影可能枚数の情報ｉ５を表示している。
【０３８０】
このように、デジタルカメラの設定内容をダイヤルのイメージ画像Ｉｍ１又はＩｍ２に重ねて表示する場合も、ダイヤルのイメージ画像の線画部分と重ならないように表示することにより、双方とも見やすい表示にできる。
【０３８１】
この他、デジタルカメラの設定内容とダイヤルのイメージ画像とを重ねて表示する場合に、設定内容の表示を半透明化し、イメージ画像に重ねて表示してもよい。
【０３８２】
図３５は、デジタルカメラの設定内容を半透明化し、イメージ画像に重ねて表示する場合のサブディスプレーの表示の一例を示す平面図である。
【０３８３】
同図に示すように、デジタルカメラの設定内容の表示を半透明化し、その上に拡大したイメージ画像を重ねて表示してもよい。
【０３８４】
また、操作ダイヤルのイメージ画像を拡大する場合は、デジタルカメラの設定内容の表示を消してもよい。
【０３８５】
また、操作ダイヤルのイメージ画像を拡大する場合、設定内容の表示項目を変更してもよい。たとえば、表示する項目の数を減らし、特定の項目の情報のみ表示してもよい。この場合、たとえば、操作ダイヤルで設定する項目の表示を消すことが考えられる。特に、イメージ画像が拡大された操作ダイヤルで設定する項目の表示を消すことが考えられる。
【０３８６】
《非操作時の表示形態の変形例》
上記実施の形態では、第１リアコマンドダイヤルＤ１のイメージ画像Iｍ１及び第２リアコマンドダイヤルＤ２のイメージ画像Ｉｍ２を実際の第１リアコマンドダイヤルＤ１及び第２リアコマンドダイヤルＤ２と同じサイズで表示し、かつ、同じ位置に表示している。
【０３８７】
しかし、非操作時における第１リアコマンドダイヤルＤ１のイメージ画像Iｍ１及び第２リアコマンドダイヤルＤ２のイメージ画像Ｉｍ２の表示態様は、これに限定されるものではない。
【０３８８】
以下、非操作時における第１リアコマンドダイヤルＤ１のイメージ画像Iｍ１及び第２リアコマンドダイヤルＤ２のイメージ画像Ｉｍ２の表示態様の変形例について説明する。
【０３８９】
（１）表示位置及び表示サイズを変えて表示する態様
図３６は、実際のダイヤルと異なる位置及びサイズでイメージ画像を表示する場合のサブディスプレーの表示の一例を示す平面図である。
【０３９０】
同図に示す例では、実際の第１リアコマンドダイヤルＤ１及び第２リアコマンドダイヤルＤ２のサイズよりも大きなサイズでそのイメージ画像Ｉｍ１及びＩｍ２を表示している。
【０３９１】
また、同図に示す例では、各イメージ画像Ｉｍ１及びＩｍ２の回転軸Ｉａ１及びＩａ２の位置を実際の第１リアコマンドダイヤルＤ１の回転軸ａ１及び第２リアコマンドダイヤルＤ２の回転軸ａ２の位置からずらして表示している。具体的には、回転軸Ｉａ１及びＩａ２の位置を光軸に添って前方向（第１リアコマンドダイヤルＤ１及び第２リアコマンドダイヤルＤ２を押し込む方向）にずらして表示している。
【０３９２】
このように、実際の操作ダイヤルと異なる位置及びサイズでイメージ画像を表示してもよい。したがって、実際の操作ダイヤルのサイズよりも小さなサイズでそのイメージ画像を表示してもよい。
【０３９３】
ただし、画面上でイメージ画像を表示する位置については、実際の操作ダイヤルの近傍に表示することが好ましい。これにより、実際の操作ダイヤルと、表示部に表示されるイメージ画像との関係を直感的に把握しやすくできる。ここで近傍とは、実際の操作ダイヤルと、表示部に表示されるイメージ画像との対応関係が把握可能な位置という意味である。
【０３９４】
より好ましくは、カメラボディに対する各操作ダイヤルのレイアウトに対応したレイアウトで各操作ダイヤルのイメージ画像を画面上に表示する。この場合のレイアウトは、表示部であるサブディスプレーが配置された面を平面視した場合のレイアウトである。すなわち、サブディスプレーが配置された面を平面視した場合に、実際の操作ダイヤルの配置とほぼ同じ配置でそのイメージ画像を画面に表示することが好ましい。
【０３９５】
上記実施の形態では、カメラボディ１０の天面にサブディスプレー１６が配置され、かつ、カメラボディ１０の背面に第１リアコマンドダイヤルＤ１及び第２リアコマンドダイヤルＤ２が並列して配置されている。したがって、この場合、第１リアコマンドダイヤルＤ１のイメージ画像Iｍ１及び第２リアコマンドダイヤルＤ２のイメージ画像Ｉｍ２は、カメラボディ１０の背面側となる位置に並列して配置される。
【０３９６】
このように、カメラボディ１０に対する各操作ダイヤルのレイアウトに対応したレイアウトでイメージ画像を表示することにより、実際の操作ダイヤルと、そのイメージ画像との関係を直感的に把握でき、より良好な操作性を提供できる。
【０３９７】
なお、カメラボディに対する各操作ダイヤルのレイアウトに対応したレイアウトで各操作ダイヤルのイメージ画像を画面上に表示することにより、各操作ダイヤルのイメージ画像を実際の操作ダイヤルの近傍に表示できる。
【０３９８】
また、カメラボディに対する各操作ダイヤルのレイアウトに対応したレイアウトで各操作ダイヤルのイメージ画像を画面上に表示することにより、実際の操作ダイヤルを操作した際、最も近くに表示された操作ダイヤルのイメージ画像が拡大表示される。これにより、実際のダイヤルと、表示部に表示される操作ダイヤルのイメージ画像との関連性をより明確にできる。
【０３９９】
図３７は、複数の操作ダイヤルが近接して配置されている場合のサブディスプレーの表示の一例を示す平面図である。
【０４００】
複数の操作ダイヤルが近接して配置されている場合、そのイメージ画像を実際の操作ダイヤルのサイズよりも大きなサイズで表示すると、互いの表示が干渉する場合がある。この場合は、図３７に示すように、複数の操作ダイヤルの干渉し合う部分、すなわち、互いに重なり合う部分を切り欠いて表示する。
【０４０１】
この他、最後に操作した方の操作ダイヤルのイメージ画像を優先して表示する態様とすることもできる。すなわち、最後に操作した方の操作ダイヤルのイメージ画像を上にしてイメージ画像を表示することもできる。
【０４０２】
なお、図３７に示すように、イメージ画像Ｉｍ１及びＩｍ２が互いに重なり合う表示となる場合、指標は、重なり合う部分を避けて配置する。
【０４０３】
（２）非操作時に退避させて表示する態様
図３８は、非操作時にイメージ画像を退避させて表示する場合のサブディスプレーの表示の一例を示す平面図である。
【０４０４】
同図に示すように、第１リアコマンドダイヤルＤ１のイメージ画像Iｍ１及び第２リアコマンドダイヤルＤ２のイメージ画像Ｉｍ２の一部のみが表示されるように、第１リアコマンドダイヤルＤ１のイメージ画像Iｍ１及び第２リアコマンドダイヤルＤ２のイメージ画像Ｉｍ２の全体を所定位置に退避させて表示してもよい。同図に示す例では、カメラボディ１０から露出した第１リアコマンドダイヤルＤ１及び第２リアコマンドダイヤルＤ２の方向に第１リアコマンドダイヤルＤ１のイメージ画像Iｍ１及び第２リアコマンドダイヤルＤ２のイメージ画像Ｉｍ２を退避させる場合を示している。この方向は、第１リアコマンドダイヤルＤ１及び第２リアコマンドダイヤルＤ２を押込み操作する際の操作方向と逆の方向である。すなわち、第１リアコマンドダイヤルＤ１のイメージ画像Iｍ１及び第２リアコマンドダイヤルＤ２のイメージ画像Ｉｍ２を、第１リアコマンドダイヤルＤ１及び第２リアコマンドダイヤルＤ２の押し込み方向と逆の方向に退避させている。
【０４０５】
第１リアコマンドダイヤルＤ１のイメージ画像Iｍ１及び第２リアコマンドダイヤルＤ２のイメージ画像Ｉｍ２の一部のみを表示することにより、操作ダイヤルの存在をユーザーに認識させることができ、良好な操作性を提供できる。
【０４０６】
また、第１リアコマンドダイヤルＤ１のイメージ画像Iｍ１及び第２リアコマンドダイヤルＤ２のイメージ画像Ｉｍ２をカメラボディ１０から露出した第１リアコマンドダイヤルＤ１及び第２リアコマンドダイヤルＤ２の方向に退避させることにより、一部のみ表示されているイメージ画像と、実際の操作ダイヤルとの関連性を明確にでき、良好な操作性を提供できる。
【０４０７】
また、このように非操作時に各操作ダイヤルのイメージ画像を退避させることにより、余白領域Ｍａを拡大できる。これにより、図３８に示すように、サブディスプレー１６に表示できる情報を増やすことができる。
【０４０８】
なお、本例のように、非操作時に各操作ダイヤルのイメージ画像を退避させる場合、必要に応じて、各操作ダイヤルのイメージ画像をサブディスプレー１６に表示できるようにしてもよい。たとえば、操作ダイヤルを押込み操作すると、押込み操作した操作ダイヤルのイメージ画像が、サブディスプレー１６に表示されるように構成する。この場合、イメージ画像を拡大して表示してもよい。
【０４０９】
（３）非操作時に簡素化して表示する態様
上記実施の形態では、操作時にイメージ画像を拡大する際、非操作時のイメージ画像をそのまま拡大して表示している。非操作時は、操作時に比してイメージ画像が小さく表示されることから、イメージ画像を簡素化して表示してもよい。すなわち、非操作時は、文字盤部分の画像を簡素化して表示してもよい。たとえば、文字盤部分に選択可能な項目を同一円周上に一定ピッチで表示する形態のイメージ画像の場合、非操作時に表示項目を間引いて表示してもよい。
【０４１０】
図３９は、非操作時にイメージ画像を簡素化して表示する場合のサブディスプレーの表示の一例を示す平面図である。また、図４０は、操作時にイメージ画像を拡大して表示する場合のサブディスプレーの表示の一例を示す平面図である。
【０４１１】
同図に示す例は、第２リアコマンドダイヤルＤ２に感度を設定する機能が割り当てられている場合において、第２リアコマンドダイヤルＤ２のイメージ画像Ｉｍ２を簡素化して表示する場合の例が示されている。同図に示す例では、第２リアコマンドダイヤルＤ２のイメージ画像Ｉｍ２の文字盤部分に表示する感度を間引いて表示している。すなわち、第２リアコマンドダイヤルＤ２のイメージ画像Ｉｍ２の文字盤部分には、代表値のみを表示している。より具体的には、ＩＳＯ１００からＩＳＯ５１２００までの間において、１／３段のステップ幅で感度を設定できる場合において、代表値のみを表示している。この代表値は、感度をＩＳＯ１００から１段のステップ幅で変化させる場合の感度の値である。すなわち、ＩＳＯ１００、ＩＳＯ２００、ＩＳＯ４００、ＩＳＯ８００、ＩＳＯ１６００、ＩＳＯ３２００、ＩＳＯ６４００、ＩＳＯ１２８００、及びＩＳＯ５１２００のみを表示している（ＩＳＯ１００については、表示が隠れるため非表示とされている。）。そして、中間値については、ドット「・」で表示して、表示を簡素化している。
【０４１２】
第２リアコマンドダイヤルＤ２のイメージ画像Ｉｍ２を拡大した場合は、図４０に示すように、設定可能な感度の値が全て表示される。すなわち、ドットで簡素化されていた表示が、実際の数値として表示される。
【０４１３】
操作ダイヤルで設定可能な項目が多い場合は、本例のように、非操作時のイメージ画像の表示を簡素化することが好ましい。これにより、良好な視認性を確保できる。
【０４１４】
図４１は、非操作時にイメージ画像を簡素化して表示する場合のサブディスプレーの表示の他の一例を示す平面図である。
【０４１５】
同図に示す例は、第２リアコマンドダイヤルＤ２にシャッタースピードを設定する機能が割り当てられている場合において、第２リアコマンドダイヤルＤ２のイメージ画像Ｉｍ２を簡素化して表示する場合の例が示されている。同図に示す例では、第２リアコマンドダイヤルＤ２のイメージ画像Ｉｍ２の文字盤部分に現在設定されているシャッタースピードと、その前後のシャッタースピードのみを表示している。
【０４１６】
このように、一部の選択項目のみを表示して、表示を簡素化することもできる。
【０４１７】
《操作ダイヤルの設置数及びレイアウトの変形例》
上記実施の形態では、操作ダイヤルである第１リアコマンドダイヤルＤ１及び第２リアコマンドダイヤルＤ２をカメラボディ１０の背面に並列して配置しているが、操作ダイヤルの設置数及びレイアウトは、これに限定されるものではない。
【０４１８】
図４２は、操作ダイヤルを３つ備えたデジタルカメラの一例を示す正面図である。また、図４３は、その平面図である。
【０４１９】
図４２に示すように、本例のデジタルカメラ１Ａは、カメラボディ１０の正面側に３つ目の操作ダイヤルとして、フロントコマンドダイヤルＤ３が備えられている。なお、フロントコマンドダイヤルＤ３が備えられている点以外は、上記実施の形態のデジタルカメラ１と同じである。
【０４２０】
フロントコマンドダイヤルＤ３は、グリップ部に備えられ、グリップ部を把持する手の人指し指で操作可能な位置に配置される。特に、図４２に示す例のフロントコマンドダイヤルＤ３は、グリップ２２とシャッターボタン３０との間の位置に配置される。この位置は、デジタルカメラ１の天面を平面視した場合に第１リアコマンドダイヤルＤ１と第２リアコマンドダイヤルＤ２のほぼ中間の位置である。すなわち、フロントコマンドダイヤルＤ３の回転軸は、第１リアコマンドダイヤルＤ１と第２リアコマンドダイヤルＤ２のほぼ中間位置に配置される。
【０４２１】
図４４は、非操作時におけるサブディスプレーの表示の一例を示す平面図である。
【０４２２】
同図に示す例は、第１リアコマンドダイヤルＤ１に露出補正値を設定する機能が割り当てられ、第２リアコマンドダイヤルＤ２にシャッタースピードを設定する機能が割り当てられ、フロントコマンドダイヤルＤ３に感度を設定する機能が割り当てられた場合の例が示されている。
【０４２３】
各ダイヤルのイメージ画像は、実際のダイヤルの外径と同じサイズで表示される。また、各ダイヤルのイメージ画像は、カメラボディ１０に対する各ダイヤルのレイアウトに対応したレイアウトで表示される。特に、第１リアコマンドダイヤルＤ１のイメージ画像Iｍ１及び第２リアコマンドダイヤルＤ２のイメージ画像Ｉｍ２は、実際の第１リアコマンドダイヤルＤ１及び第２リアコマンドダイヤルＤ２と同じ位置に配置される。一方、フロントコマンドダイヤルＤ３のイメージ画像Ｉｍ３は、実際のフロントコマンドダイヤルＤ３の位置から光軸に添って後方にシフトした位置に配置される。これにより、実際のレイアウトに対応したレイアウトで各ダイヤルのイメージ画像がサブディスプレー１６に表示される。すなわち、第１リアコマンドダイヤルＤ１のイメージ画像Iｍ１及び第２リアコマンドダイヤルＤ２のイメージ画像Ｉｍ２は、サブディスプレー１６の表示面において、カメラボディ１０の後方に並列して配置される。また、フロントコマンドダイヤルＤ３のイメージ画像Ｉｍ３は、サブディスプレー１６の表示面において、カメラボディ１０の前方、かつ、第１リアコマンドダイヤルＤ１及び第２リアコマンドダイヤルＤ２の中間位置に配置される。
【０４２４】
このように、実際のレイアウトに対応したレイアウトで各ダイヤルのイメージ画像を表示することにより、実際の操作ダイヤルと各ダイヤルのイメージ画像との関連性を明確にできる。また、実際のレイアウトに対応したレイアウトで各ダイヤルのイメージ画像を表示することにより、実際のダイヤルを操作した際、最も近くに表示されたダイヤルのイメージ画像が拡大表示される。これにより、実際のダイヤルと、表示部に表示されるダイヤルのイメージ画像との関連性をより明確にできる。
【０４２５】
図４５は、操作時におけるサブディスプレーの表示の一例を示す平面図である。
【０４２６】
同図は、第２リアコマンドダイヤルＤ２が回転操作された場合のサブディスプレー１６の表示状態を示しており、操作されたダイヤルのイメージ画像を操作されていないダイヤルのイメージ画像の上に重ねて表示する場合の例を示している。
【０４２７】
この他、操作されていないダイヤルのイメージ画像を切り欠いて表示したり、ずらして表示したりすることもできる。
【０４２８】
〔第２の実施の形態〕
本実施の形態のカメラでは、操作ダイヤルに指が触れたことを検出して、表示部の表示形態を切り替える。
【０４２９】
なお、カメラの基本構成は、上記第１の実施の形態と同じである。したがって、ここでは相違点についてのみ説明する。
【０４３０】
図４６は、本実施の形態のデジタルカメラにおける第１リアコマンドダイヤル及び第２リアコマンドダイヤルを使用した操作系の機能ブロック図である。
【０４３１】
同図に示すように、本実施の形態のデジタルカメラには、第１リアコマンドダイヤルＤ１への接触を検出する第１接触検出部２１０、及び、第２リアコマンドダイヤルＤ２への接触を検出する第２接触検出部２１２が備えられる。
【０４３２】
第１接触検出部２１０は、タッチセンサーで構成され、第１リアコマンドダイヤルＤ１への指の接触を検出する。第１接触検出部２１０は、第１リアコマンドダイヤルＤ１への指の接触を検出すると、ＯＮ情報をシステムコントローラー８０に出力する。システムコントローラー８０は、第１接触検出部２１０からの情報に基づいて、第１リアコマンドダイヤルＤ１への指の接触の有無を判別する。
【０４３３】
第２接触検出部２１２は、タッチセンサーで構成され、第２リアコマンドダイヤルＤ２への指の接触を検出する。第２接触検出部２１２は、第２リアコマンドダイヤルＤ２への指の接触を検出すると、ＯＮ情報をシステムコントローラー８０に出力する。システムコントローラー８０は、第２接触検出部２１２からの情報に基づいて、第２リアコマンドダイヤルＤ２への指の接触の有無を判別する。
【０４３４】
サブディスプレー表示制御部１１６は、第１リアコマンドダイヤルＤ１のイメージ画像Iｍ１及び第２リアコマンドダイヤルＤ２のイメージ画像Ｉｍ２をサブディスプレー１６に表示する。そして、第１リアコマンドダイヤルＤ１又は第２リアコマンドダイヤルＤ２への接触が検出された場合は、接触が検出されたダイヤルのイメージ画像の表示形態を変更する。本実施の形態のデジタルカメラでは、第１リアコマンドダイヤルＤ１又は第２リアコマンドダイヤルＤ２への接触が検出された場合、接触が検出されたダイヤルのイメージ画像を拡大する。また、接触が検出されたダイヤルが、更に回転操作された場合は、そのイメージ画像を回転させる。
【０４３５】
図４７は、第２の実施の形態のデジタルカメラにおけるサブディスプレーへの表示制御の処理手順を示すフローチャートである。
【０４３６】
まず、第１リアコマンドダイヤルＤ１又は第２リアコマンドダイヤルＤ２への接触の検出の有無が判別される（ステップＳ２１）。サブディスプレー表示制御部１１６は、第１接触検出部２１０及び第２接触検出部２１２からの出力に基づいて、第１リアコマンドダイヤルＤ１又は第２リアコマンドダイヤルＤ２への接触の検出の有無を判別する。
【０４３７】
接触が検出されると、サブディスプレー表示制御部１１６は、接触が検出されたダイヤルのイメージ画像を拡大する（ステップＳ２２）。
【０４３８】
図４８は、ダイヤルへの接触が検出された場合のサブディスプレーの表示の一例を示す平面図である。同図は、第２リアコマンドダイヤルＤ２への指の接触が検出された場合の例を示している。この場合、第２リアコマンドダイヤルＤ２のイメージ画像Ｉｍ２が拡大して表示される。
【０４３９】
この後、接触が検出されたダイヤルに対する回転操作の有無が判別される（ステップＳ２３）。サブディスプレー表示制御部１１６は、第１回転操作検出部１２４及び第２回転操作検出部１２６からの出力に基づいて、第１リアコマンドダイヤルＤ１又は第２リアコマンドダイヤルＤ２の回転操作の有無を判別する。
【０４４０】
接触が検出されたダイヤルが回転操作された場合、サブディスプレー表示制御部１１６は、そのダイヤルのイメージ画像を回転させる（ステップＳ２４）。たとえば、第２リアコマンドダイヤルＤ２への接触が検出され、第２リアコマンドダイヤルＤ２が回転操作された場合、第２リアコマンドダイヤルＤ２のイメージ画像Ｉｍ２を回転させる。イメージ画像の回転は、操作に連動して行われる。すなわち、イメージ画像は、第２リアコマンドダイヤルＤ２の回転量と同じ回転量で回転される。
【０４４１】
この後、サブディスプレー表示制御部１１６は、接触の検出が終了したか否かを判別する（ステップＳ２５）。すなわち、ダイヤルから指が離されたか否かを判別する。
【０４４２】
接触の検出が終了したと判別すると、サブディスプレー表示制御部１１６は、検出終了から一定時間経過したか否かを判別する（ステップＳ２６）。そして、検出終了から一定時間が経過したと判別すると、拡大させたダイヤルのイメージ画像を元のサイズに縮小する（ステップＳ２７）。
【０４４３】
この後、デジタルカメラ１の電源がオフされたか否かを判定する（ステップＳ２８）。デジタルカメラ１の電源がオフされた場合は、処理を終了する。一方、デジタルカメラ１の電源がオフされていない場合は、ステップＳ２１に戻り、処理を継続する。
【０４４４】
このように、本実施の形態のデジタルカメラでは、ダイヤルに指が触れると、触れられたダイヤルのイメージ画像の表示形態が切り替えられる。これにより、操作対象とするダイヤルと、表示部に表示されるダイヤルのイメージ画像との関連性を明確にでき、より高い操作性を提供できる。
【０４４５】
なお、本実施の形態では、ダイヤルが回転操作された場合に、単にダイヤルのイメージ画像を回転させているが、回転操作されたダイヤルのイメージ画像の明るさ又は色を変えて回転させてもよい。
【０４４６】
［変形例］
上記実施の形態では、接触を検出した場合に、接触を検出したダイヤルのイメージ画像を拡大する構成としているが、接触を検出した場合の表示部の表示態様は、これに限定されるものではない。たとえば、接触を検出したダイヤルのイメージ画像の明るさ又は色を変更して、他と識別できるようにしてもよい。
【０４４７】
図４９は、接触を検出した場合にダイヤルのイメージ画像の明るさを変更する場合の処理手順を示すフローチャートである。
【０４４８】
まず、第１リアコマンドダイヤルＤ１又は第２リアコマンドダイヤルＤ２への接触の検出の有無が判別される（ステップＳ３１）。
【０４４９】
接触が検出されると、サブディスプレー表示制御部１１６は、接触が検出されたダイヤルのイメージ画像を明るく表示する（ステップＳ３２）。
【０４５０】
図５０は、ダイヤルへの接触が検出された場合のサブディスプレーの表示の一例を示す平面図である。なお、図５０において、斜線で示される領域が暗く表示される領域である。
【０４５１】
図５０は、第２リアコマンドダイヤルＤ２への指の接触が検出された場合の例を示している。この場合、第２リアコマンドダイヤルＤ２のイメージ画像Ｉｍ２が明るく表示される。
【０４５２】
なお、図５０に示す例では、接触が検出されたダイヤルのイメージ画像、及び、設定内容の表示領域を除く領域の明るさを暗くしている。
【０４５３】
この後、接触が検出されたダイヤルに対する回転操作の有無が判別される（ステップＳ３３）。
【０４５４】
接触が検出されたダイヤルが回転操作された場合、サブディスプレー表示制御部１１６は、そのダイヤルのイメージ画像を拡大して回転させる（ステップＳ３４）。
【０４５５】
図５１は、回転操作された場合のサブディスプレーの表示の一例を示す平面図である。同図は、第２リアコマンドダイヤルＤ２が回転操作された場合の例を示している。この場合、第２リアコマンドダイヤルＤ２のイメージ画像Ｉｍ２が拡大される。そして、操作に応じて第２リアコマンドダイヤルＤ２のイメージ画像Ｉｍ２が回転される。ダイヤルのイメージ画像を拡大することにより、表示を見やすくできる。
【０４５６】
この後、サブディスプレー表示制御部１１６は、接触の検出が終了したか否かを判別する（ステップＳ３５）。
【０４５７】
接触の検出が終了したと判別すると、サブディスプレー表示制御部１１６は、検出終了から一定時間経過したか否かを判別する（ステップＳ３６）。そして、検出終了から一定時間が経過したと判別すると、基本の表示形態に復帰させる（ステップＳ３７）。ここで、基本の表示形態とは、接触が検出されていない場合、すなわち、指が触れられていない場合の表示形態である（図８参照）。
【０４５８】
この後、デジタルカメラ１の電源がオフされたか否かを判定する（ステップＳ３８）。デジタルカメラ１の電源がオフされた場合は、処理を終了する。一方、デジタルカメラ１の電源がオフされていない場合は、ステップＳ３１に戻り、処理を継続する。
【０４５９】
本例の場合も、操作対象とするダイヤルと、表示部に表示されるダイヤルのイメージ画像との関連性を明確にできる。接触が検出されたダイヤルのイメージ画像の色を変更することによっても同様の効果が得られる。
【０４６０】
なお、本例では、ダイヤルが回転操作された場合に、ダイヤルのイメージ画像を拡大して回転させているが、ダイヤルのイメージ画像を拡大させずに回転させてもよい。ダイヤルのイメージ画像を拡大した場合は、より見やすい表示にできる。
【０４６１】
［接触検出部の他の例］
上記実施の形態では、接触検出部をタッチセンサーで構成しているが、操作ダイヤルへの接触を検出する手段は、これに限定されるものではない。接触検出部は、接触を光学的に検出するセンサー等で構成することもできる。たとえば、接触検出部は、操作ダイヤルの設置部に指が一定距離近づいたことを検出して、操作ダイヤルに指が接触したことを検出する構成とすることもできる。
【０４６２】
〔第３の実施の形態〕
本実施の形態のカメラでは、操作ダイヤルに対する押込み操作を検出して、表示部の表示形態を切り替える。
【０４６３】
なお、カメラの基本構成は、上記第１の実施の形態と同じである。したがって、ここでは相違点についてのみ説明する。
【０４６４】
第１リアコマンドダイヤルＤ１及び第２リアコマンドダイヤルＤ２は、押込み操作されるたびにロック状態とアンロック状態とが交互に切り替えられる。ロック状態とは、ダイヤルを電子的にロックした状態のことである。ロック状態では、ダイヤルを回転操作しても、その操作は無効とされ、設定の変更は行われない。
【０４６５】
第１リアコマンドダイヤルＤ１の押込み操作は、第１リアコマンドダイヤルＤ１に備えられた第１押込み操作検出部１２０で検出される。第１押込み操作検出部１２０の検出結果は、システムコントローラー８０に出力される。また、第２リアコマンドダイヤルＤ２の押込み操作は、第２リアコマンドダイヤルＤ２に備えられた第２押込み操作検出部１２２で検出される。第２押込み操作検出部１２２の検出結果は、システムコントローラー８０に出力される。
【０４６６】
サブディスプレー表示制御部１１６は、第１押込み操作検出部１２０及び第２押込み操作検出部１２２の検出結果に基づいて、押込み操作時のサブディスプレー１６の表示を制御する。
【０４６７】
図５２は、第３の実施の形態のデジタルカメラにおける操作系の制御の処理手順を示すフローチャートである。
【０４６８】
初期状態、すなわち、電源投入時、全てのダイヤルはロック状態に設定される（ステップＳ４１）。したがって、第１リアコマンドダイヤルＤ１及び第２リアコマンドダイヤルＤ２を回転操作しても、その操作は無効とされる。
【０４６９】
まず、第１リアコマンドダイヤルＤ１又は第２リアコマンドダイヤルＤ２に対する押込み操作の有無が判別される（ステップＳ４２）。
【０４７０】
第１リアコマンドダイヤルＤ１又は第２リアコマンドダイヤルＤ２が押込み操作されると、システムコントローラー８０は、押込み操作されたダイヤルのロックを解除する（ステップＳ４３）。ロックが解除されることにより、ロックを解除されたダイヤルの回転操作が有効になる。
【０４７１】
また、第１リアコマンドダイヤルＤ１又は第２リアコマンドダイヤルＤ２が押込み操作されると、サブディスプレー表示制御部１１６は、押込み操作されたダイヤルのイメージ画像を拡大する（ステップＳ４４）。
【０４７２】
たとえば、第２リアコマンドダイヤルＤ２が押込み操作されたと仮定する。この場合、第２リアコマンドダイヤルＤ２の回転操作が有効とされる。また、第２リアコマンドダイヤルＤ２のイメージ画像Ｉｍ２が拡大して表示される（図４８参照）。
【０４７３】
この後、押込み操作されたダイヤルに対する回転操作の有無が判別される（ステップＳ４５）。サブディスプレー表示制御部１１６は、第１回転操作検出部１２４及び第２回転操作検出部１２６からの出力に基づいて、第１リアコマンドダイヤルＤ１又は第２リアコマンドダイヤルＤ２の回転操作の有無を判別する。
【０４７４】
押込み操作されたダイヤルが回転操作された場合、サブディスプレー表示制御部１１６は、そのダイヤルのイメージ画像を回転させる（ステップＳ４６）。たとえば、第２リアコマンドダイヤルＤ２が押込み操作され、更に回転操作された場合、第２リアコマンドダイヤルＤ２のイメージ画像Ｉｍ２を回転させる。イメージ画像の回転は、操作に連動して行われる。
【０４７５】
この後、サブディスプレー表示制御部１１６は、押込み操作の有無を判別する（ステップＳ４７）。
【０４７６】
押込み操作されたと判別すると、システムコントローラー８０は、押込み操作されたダイヤルをロックする（ステップＳ４８）。これにより、以後、回転操作が無効になる。すなわち、ダイヤルを回転操作しても、設定値が変更されなくなる。
【０４７７】
また、押込み操作されたと判別すると、サブディスプレー表示制御部１１６は、拡大させたダイヤルのイメージ画像を元のサイズに縮小する（ステップＳ４９）。
【０４７８】
この後、デジタルカメラ１の電源がオフされたか否かを判定する（ステップＳ５０）。デジタルカメラ１の電源がオフされた場合は、処理を終了する。一方、デジタルカメラ１の電源がオフされていない場合は、ステップＳ４１に戻り、処理を継続する。
【０４７９】
このように、本実施の形態のデジタルカメラでは、ダイヤルが押込み操作されると、その押込み操作されたダイヤルのイメージ画像の表示形態が切り替えられる。これにより、操作対象とするダイヤルと、表示部に表示されるダイヤルのイメージ画像との関連性を明確にでき、より高い操作性を提供できる。
【０４８０】
なお、本実施の形態では、ダイヤルが押込み操作された場合に、単にダイヤルのイメージ画像を回転させているが、回転操作されたダイヤルのイメージ画像の明るさ又は色を変えて回転させてもよい。
【０４８１】
［変形例］
上記実施の形態では、押込み操作した場合に、押込み操作したダイヤルのイメージ画像を拡大する構成としているが、押込み操作した場合の表示部の表示態様は、これに限定されるものではない。たとえば、上記第２の実施の形態の変形例と同様に、押込み操作したダイヤルのイメージ画像の明るさ又は色を変更してもよい。
【０４８２】
また、上記実施の形態では、ダイヤルの押込み操作によって操作ダイヤルを電子的にロックしたり、ロックを解除したりしているが、これらの処理は別段行わなくてもよい。
【０４８３】
〔その他の実施の形態〕
《操作ダイヤルに割り当てる機能》
上記実施の形態では、操作ダイヤルにシャッタースピードを設定する機能、感度を設定する機能等を割り当てる場合を例に説明したが、操作ダイヤルに割り当てる機能は、上記のものに限定されるものではない。操作ダイヤルに割り当てる機能は、カメラに備えられる機能等に応じて、適宜設定できる。たとえば、上記の他、ボリュームを設定する機能、メインディスプレーの明るさを設定する機能等、種々の機能を割り当てることができる。
【０４８４】
《表示部の他の例》
上記実施の形態では、表示部を構成するサブディスプレーを反射型のＬＣＤで構成しているが、表示部を構成するディスプレーは、これに限定されるものではない。この他、たとえば、電子ペーパー、メモリ液晶ディスプレー、有機ＥＬディスプレー（EL:ElectroLuminescent）等の自発光式ディスプレー等でディスプレーを構成することもできる。
【０４８５】
電子ペーパーとは、紙と同レベルの薄さ、視認性を備えた薄型ディスプレーのことであり、表示内容を書き換えられるものをいう。メモリ液晶ディスプレーとは、電源をオフしても、画面に表示させた内容を維持できる機能を備えた液晶ディスプレーのことである。いずれも周囲が明るい環境でも良好な視認性を確保できる。また、カメラの電源をオフした場合であっても表示部の表示を確認できる。
【０４８６】
また、サブディスプレーをＬＣＤで構成する場合、反射型ＬＣＤで構成することにより、明るい環境でも良好な視認性を確保できる。なお、ディスプレーを反射型ＬＣＤで構成する場合、照明を備えることが好ましい。
【０４８７】
《その他の変形例》
上記実施の形態では、操作ダイヤルの回転をロータリーエンコーダーで検出しているが、操作ダイヤルの回転を検出する手段は、これに限定されるものではない。この他、回転ブラシ等を利用した公知の回転検出手段を採用することもできる。
【０４８８】
また、上記実施の形態では、本発明をデジタルカメラに適用した場合を例に説明したが、本発明の適用は、これに限定されるものではない。本発明は、銀塩フイルムを使用したカメラにも同様に適用できる。この他、本発明は、回転式の操作ダイヤルを組み込んだ電子機器にも適用できる。
【０４８９】
また、上記実施の形態では、レンズ交換式のカメラに本発明を適用した場合を例に説明したが、本発明は、レンズ一体式のカメラにも同様に適用できる。
【０４９０】
更に、上記実施の形態では、ノンレフレックス型のカメラに本発明を適用した場合を例に説明したが、本発明は、レフレックス型のカメラにも同様に適用できる。
【符号の説明】
【０４９１】
１  デジタルカメラ
１Ａ  デジタルカメラ
２  レンズ
２ａ  レンズ駆動部
１０  カメラボディ
１２  レンズマウント
１４  メインディスプレー
１６  サブディスプレー
１８  電子ビューファインダー
２０  ホットシュー
２２  グリップ
２４  サムレスト
３０  シャッターボタン
３１  電源レバー
３２  再生ボタン
３３  撮影設定ボタン
３４  メニューボタン
３５  セレクターボタン
３６  表示ボタン
３７  消去ボタン
５０  イメージセンサー
５２  イメージセンサー駆動部
５４  シャッター
５６  シャッター駆動部
５８  アナログ信号処理部
６０  画像データ入力部
６２  ワークメモリ
６４  データメモリ
６６  デジタル信号処理部
６８  記録制御部
７０  メインディスプレー駆動部
７２  サブディスプレー駆動部
７４  操作部
７８  メモリーカード
８０  システムコントローラー
１００  操作系
１１０  機能設定部
１１２  第１設定部
１１４  第２設定部
１１６  サブディスプレー表示制御部
１２０  第１押込み操作検出部
１２２  第２押込み操作検出部
１２４  第１回転操作検出部
１２６  第２回転操作検出部
２１０  第１接触検出部
２１２  第２接触検出部
Ｃ１  第１リアコマンドダイヤルのイメージ画像の外形を画定する円弧
Ｃ２  第２リアコマンドダイヤルのイメージ画像の外形を画定する円弧
Ｄ１  第１リアコマンドダイヤル
Ｄ２  第２リアコマンドダイヤル
Ｄ３  フロントコマンドダイヤル
Ｉａ１  第１リアコマンドダイヤルのイメージ画像の回転軸
Ｉａ２  第２リアコマンドダイヤルのイメージ画像の回転軸
Ｉｍ１  第１リアコマンドダイヤルのイメージ画像
Ｉｍ２  第２リアコマンドダイヤルのイメージ画像
Ｉｍ３  フロントコマンドダイヤルのイメージ画像
Ｉｎ１  第１指標のイメージ画像
Ｉｎ２  第２指標のイメージ画像
Ｌ  光軸
Ｍａ  余白領域
ａ１  第１リアコマンドダイヤルの回転軸
ａ２  第２リアコマンドダイヤルの回転軸
ｆｒ２  イメージ画像の内側に表示される枠
ｇ１  第１リアコマンドダイヤルのイメージ画像に表示される模様
ｇ２  第２リアコマンドダイヤルのイメージ画像に表示される模様
ｉ１〜ｉ５  サブディスプレーに表示されるデジタルカメラの設定内容の情報
ｉｚ  デジタルカメラの設定内容の情報を表示する帯状の領域
Ｓ１〜Ｓ１５  第１リアコマンドダイヤル及び第２リアコマンドダイヤルが操作された場合のイメージ画像の表示制御の処理手順
Ｓ２１〜Ｓ２８  第２の実施の形態のデジタルカメラにおけるサブディスプレーへの表示制御の処理手順を示すフローチャート
Ｓ３１〜Ｓ３８  接触を検出した場合にダイヤルのイメージ画像の明るさを変更する場合の処理手順を示すフローチャート
Ｓ４１〜Ｓ５０  第３の実施の形態のデジタルカメラにおける操作系の制御の処理手順を示すフローチャート
【図１】
0006484761.tif 000002
【図２】
0006484761.tif 000003
【図３】
0006484761.tif 000004
【図４】
0006484761.tif 000005
【図５】
0006484761.tif 000006
【図６】
0006484761.tif 000007
【図７】
0006484761.tif 000008
【図８】
0006484761.tif 000009
【図９】
0006484761.tif 000010
【図１０】
0006484761.tif 000011
【図１１】
0006484761.tif 000012
【図１２】
0006484761.tif 000013
【図１３】
0006484761.tif 000014
【図１４】
0006484761.tif 000015
【図１５】
0006484761.tif 000016
【図１６】
0006484761.tif 000017
【図１７】
0006484761.tif 000018
【図１８】
0006484761.tif 000019
【図１９】
0006484761.tif 000020
【図２０】
0006484761.tif 000021
【図２１】
0006484761.tif 000022
【図２２】
0006484761.tif 000023
【図２３】
0006484761.tif 000024
【図２４】
0006484761.tif 000025
【図２５】
0006484761.tif 000026
【図２６】
0006484761.tif 000027
【図２７】
0006484761.tif 000028
【図２８】
0006484761.tif 000029
【図２９】
0006484761.tif 000030
【図３０】
0006484761.tif 000031
【図３１】
0006484761.tif 000032
【図３２】
0006484761.tif 000033
【図３３】
0006484761.tif 000034
【図３４】
0006484761.tif 000035
【図３５】
0006484761.tif 000036
【図３６】
0006484761.tif 000037
【図３７】
0006484761.tif 000038
【図３８】
0006484761.tif 000039
【図３９】
0006484761.tif 000040
【図４０】
0006484761.tif 000041
【図４１】
0006484761.tif 000042
【図４２】
0006484761.tif 000043
【図４３】
0006484761.tif 000044
【図４４】
0006484761.tif 000045
【図４５】
0006484761.tif 000046
【図４６】
0006484761.tif 000047
【図４７】
0006484761.tif 000048
【図４８】
0006484761.tif 000049
【図４９】
0006484761.tif 000050
【図５０】
0006484761.tif 000051
【図５１】
0006484761.tif 000052
【図５２】
0006484761.tif 000053